(57)【要約】【課題】四方弁切替時の運転中断による冷房感の低下を防止する。【解決手段】冷房運転時には、配管部１８ｃ→配管部１８ｄ→室外熱交換器１７→配管部２５ｅ→配管部２６ｂ→室内熱交換器２７→配管部２６ａ→配管部２５ｄ→配管部２５ｉ→配管部１８ｂ→配管部１８ａの経路が形成される。沸上・冷房運転時には、配管部１８ｃ→配管部２５ｊ→配管部２５ｌ→水冷媒熱交換器１５の流路１５ｂ→配管部２５ｃを経て前記分岐点Ｄにて２つに分かれ、一方は、配管部２５ｅ→室外熱交換器１７→配管部１８ｆを経て分岐点Ｃに至り、他方は、配管部２５ｇ→配管部２６ｂ→室内熱交換器２７→配管部２６ａ→配管部２５ｄ→配管部２５ｉ→配管部２５ｍを経て前記分岐点Ｃに至る。これらにより、冷房運転及び沸上・冷房運転のいずれについても、四方弁３１を同じ冷房位置に切替えた状態のまま行うことができる。【選択図】図１３
2020115061.tif 000002
【特許請求の範囲】
【請求項１】
冷媒と外気との熱交換を行う、凝縮器又は蒸発器として選択的に機能可能なヒートポンプ熱交換器と、
前記ヒートポンプ熱交換器に接続される圧縮機と、
湯水を貯湯する貯湯タンクと、
前記冷媒と水との熱交換を行う、凝縮器としての水冷媒熱交換器と、
前記冷媒と室内空気との熱交換を行う、凝縮器又は蒸発器として選択的に機能可能な室内熱交換器と
を有し、
前記水冷媒熱交換器の水側と前記貯湯タンクとを湯水配管で環状に接続して湯水循環回路を形成し、
前記ヒートポンプ熱交換器、前記圧縮機、前記水冷媒熱交換器の冷媒側、及び、前記室内熱交換器を冷媒配管で接続して冷媒循環回路を形成する冷暖房機能付きヒートポンプ給湯機において、
前記圧縮機の吐出側を凝縮器としての前記ヒートポンプ熱交換器に連通させるとともに前記圧縮機の吸込側を蒸発器としての前記室内熱交換器に連通させる第１切替位置、及び、前記圧縮機の吐出側を凝縮器としての前記室内熱交換器に連通させるとともに前記圧縮機の吸込側を蒸発器としての前記ヒートポンプ熱交換器に連通させる第２切替位置、に切替可能な四方弁と、
一方側が前記第１切替位置の前記四方弁を介し前記圧縮機の吐出側に連通されると共に、他方側が凝縮器としての前記ヒートポンプ熱交換器の入口側に接続される、第１管路と、
凝縮器としての前記ヒートポンプ熱交換器の出口側と蒸発器としての前記室内熱交換器の入口側とを接続する、第２管路と、
一方側が前記第１切替位置の前記四方弁を介し前記圧縮機の吸込側に連通されると共に、他方側が蒸発器としての前記室内熱交換器の出口側に接続される、第３管路と、
一方側が前記第１管路に設けた第１分岐点から分岐して設けられると共に、他方側が凝縮器としての前記水冷媒熱交換器の入口側に接続される、第４管路と、
一方側が前記第２管路に設けた第２分岐点から分岐して設けられると共に、他方側が凝縮器としての前記水冷媒熱交換器の出口側に接続される、第５管路と、
一方側が前記第１管路に設けた第３分岐点から分岐して設けられて蒸発器としての前記ヒートポンプ熱交換器の出口側に接続され、他方側が前記第３管路に設けた第４分岐点から分岐して設けられて前記第１切替位置の前記四方弁を介し前記圧縮機の吸込側に連通される、第６管路と、
を有することを特徴とする冷暖房機能付きヒートポンプ給湯機。
【請求項２】
前記四方弁を前記第１切替位置及び前記第２切替位置のいずれかに切り替える四方弁制御手段と、
一方側が前記第３管路に設けた第５分岐点から分岐して設けられると共に、他方側が凝縮器としての前記水冷媒熱交換器の入口側に接続される、第７管路と、
をさらに有し、
前記四方弁が前記第２切替位置にある場合において、
前記第３管路は、
前記圧縮機の吐出側と凝縮器としての前記室内熱交換器の入口側とを接続し、
前記第１管路は、
前記圧縮機の吸込側と蒸発器としての前記ヒートポンプ熱交換器の出口側とを接続し、
前記第２管路は、
凝縮器としての前記室内熱交換器の出口側と蒸発器としての前記ヒートポンプ熱交換器の入口側とを接続する
ことを特徴とする請求項１記載の冷暖房機能付きヒートポンプ給湯機。
【請求項３】
前記第４管路に設けられ、当該第４管路を開閉する第１開閉弁と、
前記第６管路に設けられ、当該第６管路を開閉する第２開閉弁と、
を有することを特徴とする請求項２記載の冷暖房機能付きヒートポンプ給湯機。
【請求項４】
前記第１管路における前記第１分岐点と前記第３分岐点との間の区間に設けられ、当該区間を開閉する第３開閉弁を有する
ことを特徴とする請求項３記載の冷暖房機能付きヒートポンプ給湯機。
【請求項５】
前記第３管路における前記第５分岐点よりも前記室内熱交換器側を閉止可能な第４開閉弁と、
前記第２管路における前記第２分岐点よりも前記室内熱交換器側を閉止可能な第５開閉弁と、
を有することを特徴とする請求項３記載の冷暖房機能付きヒートポンプ給湯機。
【請求項６】
前記四方弁制御手段は、所定の運転切替因子に応じて、前記四方弁を前記第１切替位置又は前記第２切替位置のいずれか一方に切り替える
ことを特徴とする請求項２〜５の何れか１項に記載の冷暖房機能付きヒートポンプ給湯機。
【発明の詳細な説明】
【技術分野】
【０００１】
この発明は、室内空気の暖房機能及び冷房機能を備えた、冷暖房機能付きヒートポンプ給湯機に関するものである。
【背景技術】
【０００２】
従来よりこの種のヒートポンプ給湯機においては、特許文献１記載のように、冷房運転時には四方弁を、圧縮機を室外熱交換器（ヒートポンプ熱交換器）側に連通する位置に切り替えることで、圧縮機→室外熱交換器→室内熱交換器→圧縮機の順序で冷媒を流通させる一方、沸上・冷房運転時には四方弁を、前記とは逆の圧縮機を反室外熱交換器側に連通する位置に切り替えることで、圧縮機→水冷媒熱交換器→室内熱交換器→室外熱交換器→圧縮機の順序で冷媒を流通させるものがあった。
【先行技術文献】
【特許文献】
【０００３】
【特許文献１】特開２０１８−６３０９４号公報
【発明の概要】
【発明が解決しようとする課題】
【０００４】
前記の従来技術では、冷房運転時と沸上・冷房運転時とで前記四方弁を互いに逆向きの位置に切り替える必要がある。このため、当該四方弁切替時における運転中断により室温が上昇し冷房感の低下が生じるという問題があった。
【課題を解決するための手段】
【０００５】
上記課題を解決するために、本発明の請求項１では、冷媒と外気との熱交換を行う、凝縮器又は蒸発器として選択的に機能可能なヒートポンプ熱交換器と、前記ヒートポンプ熱交換器に接続される圧縮機と、湯水を貯湯する貯湯タンクと、前記冷媒と水との熱交換を行う、凝縮器としての水冷媒熱交換器と、前記冷媒と室内空気との熱交換を行う、凝縮器又は蒸発器として選択的に機能可能な室内熱交換器とを有し、前記水冷媒熱交換器の水側と前記貯湯タンクとを湯水配管で環状に接続して湯水循環回路を形成し、前記ヒートポンプ熱交換器、前記圧縮機、前記水冷媒熱交換器の冷媒側、及び、前記室内熱交換器を冷媒配管で接続して冷媒循環回路を形成する冷暖房機能付きヒートポンプ給湯機において、前記圧縮機の吐出側を凝縮器としての前記ヒートポンプ熱交換器に連通させるとともに前記圧縮機の吸込側を蒸発器としての前記室内熱交換器に連通させる第１切替位置、及び、前記圧縮機の吐出側を凝縮器としての前記室内熱交換器に連通させるとともに前記圧縮機の吸込側を蒸発器としての前記ヒートポンプ熱交換器に連通させる第２切替位置、に切替可能な四方弁と、一方側が前記第１切替位置の前記四方弁を介し前記圧縮機の吐出側に連通されると共に、他方側が凝縮器としての前記ヒートポンプ熱交換器の入口側に接続される、第１管路と、凝縮器としての前記ヒートポンプ熱交換器の出口側と蒸発器としての前記室内熱交換器の入口側とを接続する、第２管路と、一方側が前記第１切替位置の前記四方弁を介し前記圧縮機の吸込側に連通されると共に、他方側が蒸発器としての前記室内熱交換器の出口側に接続される、第３管路と、一方側が前記第１管路に設けた第１分岐点から分岐して設けられると共に、他方側が凝縮器としての前記水冷媒熱交換器の入口側に接続される、第４管路と、一方側が前記第２管路に設けた第２分岐点から分岐して設けられると共に、他方側が凝縮器としての前記水冷媒熱交換器の出口側に接続される、第５管路と、一方側が前記第１管路に設けた第３分岐点から分岐して設けられて蒸発器としての前記ヒートポンプ熱交換器の出口側に接続され、他方側が前記第３管路に設けた第４分岐点から分岐して設けられて前記第１切替位置の前記四方弁を介し前記圧縮機の吸込側に連通される、第６管路と、を有するものである。
【０００６】
また、請求項２では、前記四方弁を前記第１切替位置及び前記第２切替位置のいずれかに切り替える四方弁制御手段と、一方側が前記第３管路に設けた第５分岐点から分岐して設けられると共に、他方側が凝縮器としての前記水冷媒熱交換器の入口側に接続される、第７管路と、をさらに有し、前記四方弁が前記第２切替位置にある場合において、前記第３管路は、前記圧縮機の吐出側と凝縮器としての前記室内熱交換器の入口側とを接続し、前記第１管路は、前記圧縮機の吸込側と蒸発器としての前記ヒートポンプ熱交換器の出口側とを接続し、前記第２管路は、凝縮器としての前記室内熱交換器の出口側と蒸発器としての前記ヒートポンプ熱交換器の入口側とを接続するものである。
【０００７】
また、請求項３では、前記第４管路に設けられ、当該第４管路を開閉する第１開閉弁と、前記第６管路に設けられ、当該第６管路を開閉する第２開閉弁と、を有するものである。
【０００８】
また、請求項４では、前記第１管路における前記第１分岐点と前記第３分岐点との間の区間に設けられ、当該区間を開閉する第３開閉弁を有するものである。
【０００９】
また、請求項５では、前記第３管路における前記第５分岐点よりも前記室内熱交換器側を閉止可能な第４開閉弁と、前記第２管路における前記第２分岐点よりも前記室内熱交換器側を閉止可能な第５開閉弁と、を有するものである。
【００１０】
また、請求項６では、前記四方弁制御手段は、所定の運転切替因子に応じて、前記四方弁を前記第１切替位置又は前記第２切替位置のいずれか一方に切り替えるものである。
【発明の効果】
【００１１】
この発明の請求項１によれば、四方弁を第１切替位置に切り替えることで、冷房（単独）運転を実行することができる。
すなわち、前記第１切替位置への切替により、圧縮機の吐出側が第１管路を介し凝縮器としてのヒートポンプ熱交換器の入口側に連通し、さらにそのヒートポンプ熱交換器の出口側が第２管路を介し蒸発器としての室内熱交換器の入口側に接続され、さらにその室内熱交換器の出口側が第３管路を介し圧縮機の吸込側に連通する。これにより、圧縮機から吐出された高温高圧の冷媒ガスが前記ヒートポンプ熱交換器で外気へ放熱し凝縮して液体冷媒となり、その後前記室内熱交換器で蒸発することで室内空気から吸熱して圧縮機へと戻る、前記冷房運転が実現される。
【００１２】
また、請求項１によれば、前記第１管路、前記第２管路、前記第３管路とは別に、第１管路から分岐して接続される第４管路、第２管路から分岐して接続される第５管路、第１管路から分岐して接続される第６管路が設けられており、これらを用いることで、前記四方弁を第１切替位置とした状態で、室内空間の冷房を行いつつ貯湯タンク内の湯水の加温を行う、沸上・冷房運転を実行することができる。
【００１３】
すなわち、前記第１管路の第１分岐点から分岐する前記第４管路を介し、圧縮機の吐出側が凝縮器としての水冷媒熱交換器の入口側に連通し、さらにその水冷媒熱交換器の出口側が、第５管路を介し、第２管路の第２分岐点に接続される。この第２管路は、前記したように蒸発器としての室内熱交換器の入口側に接続され、その室内熱交換器の出口側が第３管路を介して圧縮機の吸込側に連通される。
一方、前記第２管路はまた、凝縮器として機能するときのヒートポンプ熱交換器の出口側（言い換えれば蒸発器としてのヒートポンプ熱交換器の入口側）にも接続されている。この蒸発器としてのヒートポンプ熱交換器の出口側（言い換えれば凝縮器として機能するときのヒートポンプ熱交換器の入口側）に接続される前記第１管路に備えられた第３分岐点からは第６管路が分岐して接続されており、この第６管路は、第３管路に設けた第４分岐点に接続され、第３管路を介して圧縮機の吸込側に連通されることとなる。
【００１４】
このような接続態様により、圧縮機から吐出された高温高圧の冷媒ガスは第４管路を介して前記水冷媒熱交換器へ導入され、当該水冷媒熱交換器において貯湯タンクへ通じる湯水配管へ放熱し凝縮して液体冷媒となり、その後第５管路を介して第２分岐点にて第２管路へ導入される。第２管路へ導入された前記液体冷媒の一部は第２分岐点から前記室内熱交換器へと導入され当該室内熱交換器で蒸発することで室内空気から吸熱した後、第３管路を介して圧縮機へと戻る一方、第２管路へ導入された前記液体冷媒の残りは第２分岐点から前記ヒートポンプ熱交換器へと導入され当該ヒートポンプ熱交換器で蒸発することで外気から吸熱した後、第１管路の第３分岐点から第６管路を介して前記第３管路へと合流し、圧縮機へと戻る。このようにして、室内空間の冷却と貯湯タンク内の湯水の加温とを同時並行して行う沸上・冷房運転が実現される。
【００１５】
以上のように、請求項１によれば、冷房運転及び沸上・冷房運転のいずれについても、四方弁を同じ切替位置（第１切替位置）に切り替えた状態のまま行うことができる。この結果、沸上・冷房運転時において四方弁を冷房運転時とは逆向きの位置に切り替える必要があった従来手法のように、当該四方弁切替時における運転中断により室温が上昇し冷房感の低下が生じるのを防止することができる。
【００１６】
また、請求項２によれば、四方弁を第２切替位置に切り替えることで、暖房（単独）運転を実行することができる。
すなわち、前記第２切替位置への切替により、圧縮機の吐出側が第３管路を介し凝縮器としての室内熱交換器の入口側に連通し、さらにその室内熱交換器の出口側が第２管路を介し蒸発器としてのヒートポンプ熱交換器の入口側に接続され、さらにそのヒートポンプ熱交換器の出口側が第１管路を介し圧縮機の吸込側に連通する。これにより、圧縮機から吐出された高温高圧の冷媒ガスが前記室内熱交換器で室内空気へ放熱し凝縮して液体冷媒となり、その後ヒートポンプ熱交換器で蒸発することで外気から吸熱して圧縮機へと戻る、前記暖房運転を実現することができる。
【００１７】
一方、前記第３管路はまた、第５分岐点から分岐して設けられる第７管路を介し、凝縮器として機能する水冷媒熱交換器の入口側にも接続されている。前記したように、この水冷媒熱交換器の出口側は、前記第５管路を介し前記第２管路の第２分岐点に接続されており、当該第２管路を介して蒸発器としてのヒートポンプ熱交換器の入口側に接続されることとなる。
【００１８】
このような接続態様により、圧縮機から吐出された高温高圧の冷媒ガスのうち、前記の第３管路→室内熱交換器→第２管路→ヒートポンプ熱交換器の経路で流れて前記暖房を行うもの以外の残りを、第３管路から分岐する前記第７管路へと分流させて当該第７管路を介して前記水冷媒熱交換器へ導入し、当該水冷媒熱交換器において貯湯タンクへ通じる湯水配管へ放熱し凝縮し、その凝縮後の液体冷媒を第５管路を介し第２分岐点にて第２管路へと合流させ、前記ヒートポンプ熱交換器へと導入可能となる。この結果、室内空間の暖房と貯湯タンク内の湯水の加温とを同時並行して行う、沸上・暖房運転を実現することもできる。
【００１９】
以上の結果、請求項２によれば、暖房運転及び沸上・暖房運転のいずれについても四方弁を同じ切替位置（第２切替位置）に切り替えた状態のまま行うことができる。この結果、冷房（単独）運転及び沸上・冷房運転を互いに同一の四方弁の切替位置（第１切替位置）で行うことができ、かつ、暖房（単独）運転及び沸上・暖房運転を互いに同一の四方弁の切替位置（第２切替位置）で行うことができる。言い換えれば、四方弁の切替位置を、少なくとも冷房を行う運転時（冷房単独運転時、沸上・冷房運転時）、及び、少なくとも暖房を行う運転時（暖房単独運転時、沸上・暖房運転時）、それぞれで統一することができる。
【００２０】
また、請求項３によれば、例えば四方弁を前記第１切替位置とした状態において、第１開閉弁及び第２開閉弁を閉じ状態とすることで冷房（単独）運転を実行するとともに、第１開閉弁及び第２開閉弁を開き状態とすることで沸上・冷房運転を実行することができる。また例えば第１開閉弁及び第２開閉弁を閉じ状態として四方弁を前記第２切替位置とすることで、暖房（単独）運転又は沸上・暖房運転を実行することができる。
【００２１】
また、請求項４によれば、第３開閉弁を閉じ状態として第１管路における第１分岐点と第３分岐点との間の区間を閉止することで、前記沸上・冷房運転時における、圧縮機吐出側→第１管路→第１分岐点→第４管路→・・の冷媒流れと、・・→ヒートポンプ熱交換器→第１管路→第３分岐点→第６管路→・・の冷媒流れと、を確実に分離することができる。
【００２２】
また、請求項５によれば、第４開閉弁及び第５開閉弁を閉じ状態とすることで、第５分岐点（第４開閉弁）〜第３管路〜室内熱交換器〜第２管路〜第２分岐点（第５開閉弁）の間を閉止区間とし、この区間内の冷媒を封じ込めて、冷媒流動をなくすことができる。
【００２３】
これにより、四方弁制御手段が四方弁を前記第１切替位置とすれば、圧縮機吐出側→第４管路→水冷媒熱交換器→第５管路→第２管路→ヒートポンプ熱交換器→第６管路→圧縮機吸込側の経路にて、貯湯タンク内の湯水の加温を行う沸上（単独）運転を実現することができる。すなわちこの場合、前記冷房（単独）運転及び前記沸上・冷房運転と共通の四方弁の切替位置（第１切替位置）で、沸上（単独）運転を実現することができる。この結果、冷房（単独）運転、沸上・冷房運転、沸上（単独）運転、相互間の運転切替を、四方弁の切替を行うことなく実行することができる。
【００２４】
あるいは、四方弁制御手段が四方弁を前記第２切替位置とすれば、圧縮機吐出側→第３管路→第７管路→水冷媒熱交換器→第５管路→第２管路→ヒートポンプ熱交換器→第１管路→圧縮機吸込側の経路にて、貯湯タンク内の湯水の加温を行う沸上（単独）運転を実現することができる。すなわちこの場合、前記暖房（単独）運転及び前記沸上・暖房運転と共通の四方弁の切替位置（第２切替位置）で、沸上運転を実現することができる。この結果、暖房（単独）運転、沸上・暖房運転、沸上（単独）運転、相互間の運転切替を、四方弁の切替を行うことなく実行することができる。
【００２５】
前記したように、本願発明においては、四方弁を第１切替位置とした状態で沸上（単独）運転を行うこともでき、四方弁を第２切替位置とした状態で沸上（単独）運転を行うこともできる。そこで、請求項６によれば、四方弁制御手段が、冷房運転等に対応した第１切替位置とすべきか暖房運転等に対応した前記第２切替位置とすべきかの指標となる、所定の運転切替因子に応じて、四方弁の制御を行う。
【００２６】
運転切替因子の例としては、適宜の検出手段により検出される外気温や貯湯タンクへの給水温度、あるいはそれらの所定期間（例えば過去の複数日）内における平均値、所定期間内における冷房運転又は暖房運転の運転態様の実績（又は運転態様の指示実績）等がある。
【００２７】
これにより、前記沸上（単独）運転が行われる際、例えば前記外気温や前記給水温度が比較的低い場合、前記所定期間内に暖房運転の運転実績が多かった場合、等においては、四方弁制御手段は、四方弁を前記暖房運転等に対応して切り替えるべきとみなし、前記第２切替位置へと切り替える。これにより、この第２切替位置とした状態での前記沸上（単独）運転が実行されるので、その後、さらに前記暖房運転もしくは前記沸上・暖房運転へと移行する指示がなされた場合であっても、同じ第２切替位置とした状態のままで円滑に前記移行を行うことができる。この結果、四方弁の切替位置の変更が生じる場合のような、運転中断による室温低下（暖房感の低下）を確実に防止することができる。
【００２８】
逆に、前記沸上（単独）運転が行われる際、例えば前記外気温や前記給水温度が比較的高い場合、前記所定期間内に冷房運転の運転実績が多かった場合、等においては、四方弁制御手段は、四方弁を前記冷房運転等に対応して切り替えるべきとみなし、前記第１切替位置へと切り替える。これにより、この第１切替位置とした状態での前記沸上（単独）運転が実行されるので、その後、さらに前記冷房運転もしくは前記沸上・冷房運転へと移行する指示がなされた場合であっても、同じ第１切替位置とした状態のままで円滑に前記移行を行うことができる。この結果、四方弁の切替位置の変更が生じる場合のような、運転中断による室温上昇（冷房感の低下）を確実に防止することができる。
【図面の簡単な説明】
【００２９】
【図１】本発明の一実施形態の冷暖房機能付きヒートポンプ給湯機の主要なユニットの外観構成図
【図２】ヒートポンプ給湯機全体の回路構成図
【図３】ヒーポン制御部の機能的構成図
【図４】貯湯制御部の機能的構成図
【図５】エアコン制御部の機能的構成図
【図６】冬期沸上運転時の作動を説明する図
【図７】沸上運転時、暖房運転時、及び沸上・暖房運転時それぞれにおける圧縮機回転数の制御態様を表す図
【図８】暖房運転時の作動を説明する図
【図９】沸上・暖房運転時の作動を説明する図
【図１０】膨張弁制御部が膨張弁の分流制御を実行するときの制御マップを表す図
【図１１】夏期沸上運転時の作動を説明する図
【図１２】冷房運転時の作動を説明する図
【図１３】沸上・冷房運転時の作動を説明する図
【図１４】沸上・冷房運転時の別の例の作動を説明する図
【図１５】膨張弁制御部が膨張弁の分流制御を実行するときの制御マップを表す図
【図１６】運転切替因子に応じて冬期沸上運転・夏期沸上運転を切り替える変形例の制御内容を表すフローチャート図
【発明を実施するための形態】
【００３０】
以下、本発明の一実施形態を図１〜図１５に基づいて説明する。
【００３１】
＜外観構成＞
本実施形態の冷暖房機能付きヒートポンプ給湯機１の主要なユニットの外観構成を図１に示す。図１において、本実施形態のヒートポンプ給湯機１は、貯湯タンク２（後述の図２等参照）を備えた貯湯ユニット１００と、室外機としてのヒートポンプユニット３００と、室内機としてのエアコンユニット２００と、を有している。
【００３２】
＜回路構成＞
本実施形態のヒートポンプ給湯機１全体の回路構成を図２に示す。図２に示すように、前記貯湯ユニット１００は、冷媒を流通させる冷媒側の流路１５ｂと水側の流路１５ａとを有し、高温高圧の冷媒と貯湯タンク２内の湯水とを熱交換する凝縮器として機能する水冷媒熱交換器１５と、沸上ポンプ１９と、を備えている。すなわち、前記水冷媒熱交換器１５の前記水側の流路１５ａと前記貯湯タンク２とが湯水配管としての加熱往き管５及び加熱戻り管６によって環状に接続され、前記貯湯ユニット１００内で湯水循環回路としての加熱循環回路４が形成されている。
【００３３】
加熱往き管５は、前記貯湯タンク２の下部に接続され、加熱戻り管６は、前記貯湯タンク２の上部に接続されている。前記沸上ポンプ１９は、前記加熱往き管５の途中に設けられ、前記水側の流路１５ａを介し前記加熱往き管５からの湯水を前記加熱戻り管６へ流通させつつ、貯湯タンク２の湯水を循環させる。
【００３４】
貯湯タンク２の側面には、貯湯タンク２内の湯水の温度（貯湯温度）をそれぞれ検出し前記湯水の加熱状況（言い替えれば貯湯状況）を検知するための貯湯温度センサ１２が上下にわたり複数設けられている。前記貯湯タンク２の下部にはまた、貯湯タンク２に水を給水する給水管７が接続され、前記貯湯タンク２の上部にはまた、貯湯されている高温水を出湯する出湯管８が接続され、給水管７からは給水バイパス管９が分岐して設けられている。さらに、出湯管８からの湯と給水バイパス管９からの水とを混合して給湯設定温度の湯とする混合弁１０と、混合弁１０で混合後の給湯温度を検出する給湯温度センサ１１と、が設けられている。
【００３５】
一方、前記水冷媒熱交換器１５における熱交換（詳細は後述）によって前記貯湯タンク２内の湯水を加熱可能な冷媒循環回路３０が、前記ヒートポンプユニット３００、前記貯湯ユニット１００、及び前記エアコンユニット２００にわたって設けられている。前記冷媒循環回路３０は、前記ヒートポンプユニット３００内に配置されたヒーポン回路部３０Ａと、前記ヒートポンプユニット３００及び前記貯湯ユニット１００に跨って配置された貯湯回路部３０Ｂと、前記エアコンユニット２００内に配置されたエアコン回路部３０Ｃと、を含んでいる。
【００３６】
＜ヒーポン回路部＞
前記ヒーポン回路部３０Ａは、前記冷媒の流路となる冷媒配管１８を備えており、冷媒を圧縮する圧縮機１４と、四方弁３１と、前記冷媒と外気との熱交換により凝縮器又は蒸発器として選択的に機能（詳細は後述）するヒートポンプ熱交換器としての室外熱交換器１７とが、前記冷媒配管１８によって接続されている。なお、室外熱交換器１７には、前記室外熱交換器１７に外気を通じるための室外ファン６７が設けられている。
【００３７】
詳細には、前記冷媒配管１８は、圧縮機１４の吐出側となる配管部１８ｃと、冷房運転時（後述の図１２参照）等において一方側が圧縮機１４の吐出側の前記配管部１８ｃに連通されるとともに、他方側が前記室外熱交換器１７の圧縮機１４側（言い替えれば当該冷房運転時における入口側、以下同様）に接続される、配管部１８ｄ（第１管路に相当）と、前記室外熱交換器１７の反圧縮機１４側に接続される配管部１８ｅと、を含んでいる。前記配管部１８ｅは、膨張弁１１３を備えており、後述の配管部２５ｅに連通している。
【００３８】
また前記冷媒配管１８は、前記圧縮機１４の吸入側となる配管部１８ａと、前記冷房運転時（後述の図１２参照）等において前記四方弁３１を介し前記配管部１８ａに接続される配管部１８ｂと、を含んでいる。前記配管部１８ｂは、後述の配管部２５ｍに連通している。
【００３９】
＜四方弁詳細＞
前記四方弁３１は４つのポートを備える弁であり、前記冷媒配管１８のうち（冷媒主経路を構成する）前記配管部１８ｂ，１８ｄ用の２つのポートのそれぞれに対して、残りの前記配管部１８ａ，１８ｃ用の２つのポートのいずれを接続するかを切り替える。前記配管部１８ａ，１８ｃ用の２つのポートどうしは、ループ状に配置された前記配管部１８ａ，１８ｃからなる冷媒副経路によって接続されており、この冷媒副経路上に前記圧縮機１４が設けられている。
【００４０】
例えば四方弁３１は、後述する図１２の状態に切り替えられた（＝第１切替位置に相当。以下適宜、「冷房位置」「冷房側への切替」等と称する）場合は、前記圧縮機１４の吐出側である前記配管部１８ｃを前記室外熱交換器１７側である前記配管部１８ｄに連通させるとともに、前記圧縮機１４の吸込側である前記配管部１８ａを前記室内熱交換器２７側である前記配管部１８ｂに連通させる。
また四方弁３１は、後述する図８の状態に切り替えられた（＝第２切替位置に相当。以下適宜、「暖房位置」「暖房側への切替」等と称する）場合は、前記配管部１８ｃを前記前記室内熱交換器２７側である前記配管部１８ｂに連通させるとともに、前記配管部１８ａを前記室外熱交換器１７側である前記配管部１８ｄに連通させる。
【００４１】
このとき、前記室外熱交換器１７から前記四方弁３１に至る前記配管部１８ｄの途中には、開閉可能な二方弁１２５（第３開閉弁に相当）が設けられている。そして、前記配管部１８ｄのうち前記二方弁１２５よりも前記室熱交換器１７側に位置する分岐点Ｂ（第３分岐点に相当）からは配管部１８ｆ（第６管路に相当）が分岐して設けられており、この配管部１８ｆは前記配管部１８ｂに位置する分岐点Ｃ（第４分岐点に相当）に接続されている。また、この分岐点Ｂから分岐点Ｃに至る前記配管部１８ｆには、開閉可能な二方弁１２６（第２開閉弁に相当）が設けられている。
【００４２】
＜貯湯回路部＞
前記貯湯回路部３０Ｂは、前記冷媒の流路となる冷媒配管２５を備えており、前記水冷媒熱交換器１５の前記冷媒側の流路１５ｂが、前記冷媒配管２５に接続されている。
【００４３】
詳細には、前記冷媒配管２５は、前記分岐点Ｃにおいて前記配管部１８ｂに接続される配管部２５ｍと、この配管部２５ｍのうち前記分岐点Ｃと反対側に位置する分岐点Ｅ（第５分岐点に相当）に接続される配管部２５ａと、前記配管部２５ａのうち前記分岐点Ｅと反対側に位置する分岐点Ｆに接続されるとともに、反配管部２５ａ側が前記水冷媒熱交換器１５（詳細には前記冷媒側の流路１５ｂ）の入口側に接続される配管部２５ｂと、前記水冷媒熱交換器１５（詳細には前記冷媒側の流路１５ｂ）の出口側に接続される配管部２５ｃ（第５管路に相当）と、を含んでいる。前記配管部２５ｂは、開閉可能な二方弁１２１を備えており、前記配管部２５ｃは全閉機能付きの膨張弁１１１を備えている。
【００４４】
また前記冷媒配管２５は、前記配管部２５ｂ同様、前記配管部２５ａの前記分岐点Ｆに接続される配管部２５ｈと、この配管部２５ｈのうち前記分岐点Ｆと反対側に位置する分岐点Ｇに接続される配管部２５ｄと、を含んでいる。前記配管部２５ｄの反配管部２５ｈ側は、ヒートポンプユニット３００外への出口となる接続口９５ａにおいて、前記ヒートポンプユニット３００と前記エアコンユニット２００とを接続する連通管路１０４に連通している。
【００４５】
さらに前記冷媒配管２５は、前記配管部２５ｃの反水冷媒熱交換器１５側に位置する分岐点Ｄに接続されるとともに、反配管部２５ｃ側が前記配管部１８ｅに連通する配管部２５ｅと、前記分岐点Ｇに接続される配管部２５ｆと、この配管部２５ｆのうち前記分岐点Ｇと反対側に位置する分岐点Ｈと前記分岐点Ｅとを接続する配管部２５ｉと、前記配管部１８ｄのうち前記二方弁１２５より四方弁３１側に位置する分岐点Ａに接続される配管部２５ｊと、この配管部２５ｊのうち前記分岐点Ａと反対側に位置する分岐点Ｊと前記分岐点Ｈとを接続する配管部２５ｋと、前記配管部２５ｂのうち前記二方弁１２１よりも前記水冷媒熱交換器１５側に位置する分岐点Ｉと前記分岐点Ｊとを接続する配管部２５ｌと、を含んでいる。前記配管部２５ｈは全閉機能付きの膨張弁１１４を備えており、前記配管部２５ｉは開閉可能な二方弁１２２（第４開閉弁に相当）を備えており、前記配管部２５ｋは開閉可能な二方弁１２４を備えており、前記配管部２５ｌは開閉可能な二方弁１２３（第１開閉弁に相当）を備えている。
【００４６】
さらに前記冷媒配管２５は、前記配管部２５ｅ同様に前記配管部２５ｃの反水冷媒熱交換器１５側に位置する前記分岐点Ｄに接続されるとともに、ヒートポンプユニット３００外への出口となる接続口９５ｂにおいて、前記ヒートポンプユニット３００と前記エアコンユニット２００とを接続する連通管路１０３に連通する配管部２５ｇを含んでいる。この配管部２５ｇは、全閉機能付きの膨張弁１１２（第５開閉弁に相当）を備えている。
【００４７】
なお、前記の圧縮機１４、四方弁３１、室外熱交換器１７、室外ファン６７、二方弁１２２，１２３，１２４，１２５，１２６、膨張弁１１１，１１２，１１３，１１４等は、前記ヒートポンプユニット３００の筐体に内包されている（図１参照）。なお、前記膨張弁１１２は後述の配管部２６ｂ（すなわち前記エアコンユニット２００の筐体内）に設けても良い。
また、前記の二方弁１２１、水冷媒熱交換器１５、及び貯湯タンク２等は、前記貯湯ユニット１００の筐体に内包されている（図１参照）。
【００４８】
＜エアコン回路部＞
前記エアコン回路部３０Ｃは、前記冷媒の流路となる冷媒配管２６を備えており、前記冷媒と室内空気との熱交換により凝縮器又は蒸発器として選択的に機能（詳細は後述）する室内熱交換器２７が前記冷媒配管２６に接続されている。なお、室内熱交換器２７には、前記室内熱交換器２７に室内空気を通じるための室内ファン７７が設けられている。
【００４９】
詳細には、前記冷媒配管２６は、エアコンユニット２００外への出口となる接続口７６ａにおいて前記連通管路１０４に連通するとともに、反連通管路１０４側が前記室内熱交換器２７の前記接続口７６ａ側（言い替えれば暖房運転時等における入口側、以下同様。後述の図８等参照）に接続される配管部２６ａと、前記接続口７６ａとは別の接続口７６ｂにおいて前記連通管路１０３に連通するとともに、反連通管路１０３側が前記室内熱交換器２７の前記接続口７６ｂ側（言い替えれば暖房運転時等における出口側、以下同様。後述の図８等参照）に接続される配管部２６ｂと、を含んでいる。
【００５０】
なお、前記の室内熱交換器２７及び室内ファン７７等は、前記エアコンユニット２００の筐体に内包されている（図１参照）。
【００５１】
なお、前記した回路構成において、前記配管部１８ｅ、前記配管部２５ｅ、前記配管部２５ｇ、前記連通管路１０３、及び前記配管部２６ｂが、各請求項記載の第２管路に相当し、前記配管部１８ｂ、前記配管部２５ｍ、前記配管部２５ｉ、前記配管部２５ｆ、前記配管部２５ｄ、前記連通管路１０４、及び前記配管部２６ａが第３管路に相当する。また前記配管部２５ｊ及び前記配管部２５ｌが第４管路に相当し、前記配管部２５ａ及び前記配管部２５ｂが第７管路に相当する。
【００５２】
＜各種センサ＞
前記冷媒循環回路３０内には、冷媒として例えばＲ３２冷媒が用いられ、ヒートポンプサイクルを構成している。なお、冷媒はＨＦＣ冷媒やＨＦＯ冷媒、二酸化炭素冷媒であってもよい。そして、前記ヒーポン回路部３０Ａの前記冷媒配管１８において、前記配管部１８ｃには、圧縮機１４から吐出される冷媒吐出温度Ｔｏｕｔを検出する吐出温度センサ３２が設けられ、前記配管部１８ａには、圧縮機１４へ吸入される冷媒の冷媒吸入温度Ｔｉｎを検出する吸入温度センサ２０が設けられている。なお、前記室外熱交換器１７の空気入口側には、外気温度Ｔａｉｒを検出する外気温度センサ２２が設けられ、かつ室外熱交換器１７内には、ヒーポン熱交温度Ｔｅｘ（蒸発器として作用している時の蒸発冷媒温度）を検出する熱交温度センサ３５が設けられている。これらのセンサ３２，２０，２２，３５の検出結果は、ヒートポンプユニット３００に設けられたヒーポン制御部４１０に入力され、さらに適宜、貯湯ユニット１００に設けられた貯湯制御部４２０やエアコンユニット２００に設けられたエアコン制御部４３０へも入力される（ヒーポン制御部４１０を介し受信しても良いし、センサ３２，２０，２２から直接受信してもよい）。
【００５３】
また、前記貯湯回路部３０Ｂの前記冷媒配管２５において、前記配管部２５ｃには、前記冷媒側の流路１５ｂから流出し前記膨張弁１１１に向かう冷媒流出温度Ｔ２を検出する流出温度センサ２１が設けられている。なお、前記水冷媒熱交換器１５には、前記冷媒が前記冷媒側の流路１５ｂにおいて凝縮する際の冷媒凝縮温度を検出する凝縮温度センサ３３が設けられている。また、前記加熱往き管５には、前記水冷媒熱交換器１５の前記水側の流路１５ａに流入する入水温度Ｔ１（湯水の入口温度）を検出する入水温度センサ２３が設けられ、前記加熱戻り管６には、前記水側の流路１５ａから前記貯湯タンク２に向かって流出する沸上温度Ｔｂを検出する沸上温度センサ２４が設けられている。
これらのセンサ２１，３３，２３，２４の検出結果は、貯湯ユニット１００に設けられた貯湯制御部４２０に入力され、さらに適宜、ヒートポンプユニット３００に設けられた前記ヒーポン制御部４１０やエアコンユニット２００に設けられた前記エアコン制御部４３０へも入力される（貯湯制御部４２０を介し受信しても良いし、センサ２１，３３，２３，２４から直接受信してもよい）。
【００５４】
また、前記エアコン回路部３０Ｃの前記冷媒配管２６に関して、前記室内熱交換器２７には、空調対象空間の室内温度Ｔｒを検出する室内温度センサ３４が設けられ、また室内熱交換器２７内には、室内熱交温度Ｔｅｖ（蒸発器として作用している時の蒸発冷媒温度）を検出する熱交温度センサ３６が設けられている。これらセンサ３４，３６の検出結果は、エアコンユニット２００に設けられたエアコン制御部４３０に入力され、さらに適宜、ヒートポンプユニット３００に設けられた前記ヒーポン制御部４１０や貯湯ユニット１００に設けられた前記貯湯制御部４２０へも入力される（エアコン制御部４３０を介し受信しても良いし、センサ３４から直接受信してもよい）。
【００５５】
そして、前記貯湯ユニット１００の前記貯湯制御部４２０、前記ヒートポンプユニット３００の前記ヒーポン制御部４１０、及び、前記エアコンユニット２００の前記エアコン制御部４３０は、互いに通信可能に接続されており、前記各センサの検出結果に基づき、相互に連携しつつ、前記貯湯ユニット１００、前記ヒートポンプユニット３００、前記エアコンユニット２００内の各機器・アクチュエータの動作を制御する。特に、前記四方弁３１、前記二方弁１２１，１２２，１２３，１２４、１２５，１２６及び前記膨張弁１１１，１１２，１１３，１１４の開閉動作や開度を制御し、冷媒の流れる経路を切り替えることにより、貯湯タンク２内の湯水を加熱して沸上を行う沸上運転、前記空調対象空間の室内冷房を行う冷房運転、前記空調対象空間の室内暖房を行う暖房運転、前記沸上と前記冷房とを並行して行う沸上・冷房運転、及び、前記沸上と前記暖房とを並行して行う沸上・暖房運転、等を選択的に実行することができる。
【００５６】
＜リモコン＞
このとき、前記エアコンユニット２００は、リモコン等の適宜の操作部６０（以下単に「リモコン６０」と称する）によって操作可能である。すなわち、リモコン６０は、例えば前記エアコン制御部４３０に対し情報送受信可能に接続されており、ユーザは、このリモコン６０を適宜に手動操作することにより、前記の沸上運転、冷房運転、及び、暖房運転のいずれの運転を行うかを指示することができる。なお、沸上・冷房運転（又は沸上・暖房運転）については、ユーザによりリモコン６０を介し前記冷房運転（又は暖房運転）の指示があったとき、貯湯タンク２内における貯湯状況（未加熱水の量など）に応じて、適宜、自動的に沸上・冷房運転（又は沸上・暖房運転）に切り替えられるものである。さらに、このリモコン６０における適宜の操作により、前記沸上運転時における沸上モード（例えば強力沸上モード、通常沸上モード、等）や、前記冷房運転又は暖房運転時におけるエアコン運転モード（例えば強力モード、通常モード、節電モード等）やエアコン設定温度Ｔｃｏｎ等も指示することができる。これらのリモコン６０からの指示内容は、エアコンユニット２００に設けられた前記エアコン制御部４３０に入力され、さらに適宜、ヒートポンプユニット３００に設けられた前記ヒーポン制御部４１０や貯湯ユニット１００に設けられた前記貯湯制御部４２０へも入力される（エアコン制御部４３０を介し受信しても良いし、リモコン６０から直接受信してもよい）。
【００５７】
＜ヒーポン制御部＞
次に、前記ヒートポンプユニット３００に備えられた前記ヒーポン制御部４１０について説明する。ヒーポン制御部４１０は、詳細な図示を省略するが、各種のデータやプログラムを記憶する記憶部と、演算・制御処理を行う制御部とを備えている。このヒーポン制御部４１０の機能的構成を図３により説明する。
【００５８】
図３に示すように、前記ヒーポン制御部４１０は、四方弁制御部４１０Ａ（四方弁制御手段に相当）と、圧縮機制御部４１０Ｂと、膨張弁制御部４１０Ｃと、室外ファン制御部４１０Ｄと、二方弁制御部４１０Ｅと、を機能的に備えている。
【００５９】
四方弁制御部４１０Ａには、前記リモコン６０により指示された、いずれの運転を行うかの運転指示（沸上運転、冷房運転、暖房運転等）と、前記貯湯温度センサ１２により検出された前記貯湯温度とが入力される。四方弁制御部４１０Ａは、前記運転指示と、前記貯湯温度に対応した前記湯水の加熱状況（貯湯状況）とに応じて、実際にヒートポンプ給湯機１をどのような運転態様（沸上運転、冷房運転、沸上・冷房運転、暖房運転、沸上・暖房運転等）で運転するかを決定し、対応する運転情報を、前記圧縮機制御部４１０Ｂ、膨張弁制御部４１０Ｃ、室外ファン制御部４１０Ｄ、二方弁制御部４１０Ｅ、及び、貯湯制御部４２０、エアコン制御部４３０に出力する。また四方弁制御部４１０Ａは、上記決定された運転態様に対応する開閉信号を四方弁３１へ出力し、四方弁３１を切り替える（詳細な制御内容は後述）。
【００６０】
圧縮機制御部４１０Ｂには、前記外気温度センサ２２により検出された前記外気温度Ｔａｉｒと、前記室内温度センサ３４により検出された前記室内温度Ｔｒと、前記リモコン６０により設定された前記エアコン設定温度Ｔｃｏｎ及び前記沸上モードとが入力される（直接入力される場合のほか、前記の間接的な入力も含む。以下同様）。圧縮機制御部４１０Ｂは、前記のようにして四方弁制御部４１０Ａから入力される（沸上運転、冷房運転、沸上・冷房運転、暖房運転、及び沸上・暖房運転のいずれの運転が行われるかを表す）前記運転情報に応じて、入力された前記の温度及び設定のうち少なくとも１つに基づき、前記圧縮機１４の回転数を制御する（詳細な制御内容は後述）。なおこのときの圧縮機１４の回転数（制御値）は、後述の膨張弁制御部４１０Ｃにも出力される。
【００６１】
膨張弁制御部４１０Ｃには、前記リモコン６０により設定された前記エアコン運転モードと、前記吐出温度センサ３２により検出された前記冷媒吐出温度Ｔｏｕｔと、前記流出温度センサ２１により検出された前記冷媒流出温度Ｔ２と、前記外気温度センサ２２により検出された前記外気温度Ｔａｉｒと、前記吸入温度センサ２０により検出された前記冷媒吸入温度Ｔｉｎと、前記熱交温度センサ３５により検出された前記ヒーポン熱交温度Ｔｅｘと、熱交温度センサ３６により検出された前記室内熱交温度Ｔｅｖと、が入力される。膨張弁制御部４１０Ｃは、前記四方弁制御部４１０Ａからの前記運転情報に応じて、前記の入力された温度のうち少なくとも１つに基づき、前記膨張弁１１１，１１２，１１３，１１４の開度を制御する（詳細な制御内容は後述）。
【００６２】
室外ファン制御部４１０Ｄには、前記外気温度センサ２２により検出された前記外気温度Ｔａｉｒと、前記リモコン６０により設定された前記エアコン運転モードとが入力される。室外ファン制御部４１０Ｄは、前記四方弁制御部４１０Ａからの前記運転情報に応じて、前記外気温度Ｔａｉｒ及び運転モードに基づき、前記室外ファン６７の回転数を制御する（詳細な制御内容は後述）。
【００６３】
二方弁制御部４１０Ｅには、前記四方弁制御部４１０Ａからの前記運転情報が入力される。二方弁制御部４１０Ｅは、前記運転情報に基づき、前記二方弁１２２，１２３，１２４，１２５，１２６の開閉動作を制御する（詳細な制御内容は後述）。
【００６４】
なお、前記運転態様の決定は、貯湯制御部４２０やエアコン制御部４３０で行っても良い。この場合は、それら貯湯制御部４２０やエアコン制御部４３０から、決定された運転態様に対応した前記運転情報がヒーポン制御部４１０に入力され、その入力された運転情報に応じて四方弁制御部４１０Ａ、圧縮機制御部４１０Ｂ、膨張弁制御部４１０Ｃ、室外ファン制御部４１０Ｄ、二方弁制御部４１０Ｅが各種制御を行う。
【００６５】
＜貯湯制御部＞
次に、前記貯湯ユニット１００に備えられた前記貯湯制御部４２０について説明する。貯湯制御部４２０は、前記ヒーポン制御部４１０同様、記憶部と制御部とを備えており、その機能的構成を図４により説明する。
【００６６】
図４に示すように、前記貯湯制御部４２０は、ポンプ制御部４２０Ａと、二方弁制御部４２０Ｃと、を機能的に備えている。
【００６７】
ポンプ制御部４２０Ａには、前記ヒーポン制御部４１０からの前記運転情報と、前記沸上温度センサ２４により検出された前記沸上温度Ｔｂとが入力される。ポンプ制御部４２０Ａは、前記のようにしてヒーポン制御部４１０から入力される（沸上運転、冷房運転、沸上・冷房運転、暖房運転、及び沸上・暖房運転等のいずれの運転が行われるかを表す）前記運転情報に応じて、入力された前記沸上温度Ｔｂに基づき、前記沸上ポンプ１９の回転数を制御する（詳細な制御内容は後述）。
【００６８】
二方弁制御部４２０Ｃには、前記ヒーポン制御部４１０からの前記運転情報が入力される。二方弁制御部４２０Ｃは、前記運転情報に基づき、前記二方弁１２１の開閉動作を制御する（詳細な制御内容は後述）。
【００６９】
なお、前記と同様、運転態様の決定を、貯湯制御部４２０内（例えば前記二方弁制御部４２０Ｃ）やエアコン制御部４３０で行っても良い。この場合は、それら二方弁制御部４２０Ｃやエアコン制御部４３０で決定した運転態様に対応する運転情報に応じて、ポンプ制御部４２０Ａ、二方弁制御部４２０Ｃが各種制御を行う。
【００７０】
＜エアコン制御部＞
次に、前記エアコンユニット２００に備えられた前記エアコン制御部４３０について説明する。エアコン制御部４３０は、前記ヒーポン制御部４１０及び貯湯制御部４２０同様、記憶部と制御部とを備えており、その機能的構成を図５により説明する。
【００７１】
図５に示すように、前記エアコン制御部４３０は、室内ファン制御部４３０Ａを機能的に備えている。
【００７２】
室内ファン制御部４３０Ａには、前記ヒーポン制御部４１０からの前記運転情報と、前記室内温度センサ３４により検出された前記室内温度Ｔｒと、前記リモコン６０により設定された前記エアコン設定温度Ｔｃｏｎとが入力される。室内ファン制御部４３０Ａは、前記ヒーポン制御部４１０からの前記運転情報に応じて、前記室内温度Ｔｒ及びエアコン設定温度Ｔｃｏｎに基づき、前記室内ファン７７の回転数を制御する（詳細な制御内容は後述）。
【００７３】
なお、前記と同様、運転態様の決定を、エアコン制御部４３０内や貯湯制御部４２０で行っても良い。この場合は、それらエアコン制御部４３０や貯湯制御部４２０で決定した運転態様に対応する運転情報に応じて、室内ファン制御部４３０Ａが前記制御を行う。
【００７４】
前記したように、本実施形態のヒートポンプ給湯機１は、沸上運転、冷房運転、暖房運転、沸上・冷房運転、沸上・暖房運転等の各種類の運転を選択的に実行することができる。以下、各運転の詳細を順次説明する。
【００７５】
＜冬期沸上運転＞
まず、沸上運転について説明する。なお、本実施形態では、例えば冬期と夏期とで別態様の沸上運転を行うことができる（詳細は後述）ため、まず、冬期において実行するのに好適な沸上運転（以下適宜、冬期沸上運転という）を図６を用いて説明する。
【００７６】
この図６に示す冬期沸上運転時においては、前記四方弁制御部４１０Ａにより、前記四方弁３１は、前記配管部１８ｃを前記配管部１８ｂに連通させると共に前記配管部１８ａを前記配管部１８ｄに連通させる位置（前記暖房位置）に切り替えられる。また前記二方弁制御部４１０Ｅ，４２０Ｃにより、二方弁１２１が全開状態、二方弁１２３が全閉状態、二方弁１２２が全閉状態、二方弁１２５が全開状態、二方弁１２６が全閉状態、二方弁１２４が全閉状態に切り替えられる。さらに前記膨張弁制御部４１０Ｃにより、前記膨張弁１１２が全閉状態、前記膨張弁１１４が全閉状態、前記膨張弁１１３が開き状態（詳細には後述の△Ｈ制御が行われる）、前記膨張弁１１１が全開状態に制御される。
【００７７】
この結果、圧縮機１４の吐出側の配管部１８ｃ→配管部１８ｂ→配管部２５ｍ→配管部２５ａ→配管部２５ｂ（二方弁１２１）→水冷媒熱交換器１５の冷媒側の流路１５ｂ→配管部２５ｃ（膨張弁１１１）→配管部２５ｅ→配管部１８ｅ（膨張弁１１３）→室外熱交換器１７→配管部１８ｄ（二方弁１２５）→圧縮機１４の吸入側の配管部１８ａの冷媒経路が形成される。これにより、低温・低圧で吸入されたガス状態の冷媒が前記圧縮機１４で圧縮されて高温・高圧のガスとなった後、凝縮器として機能する水冷媒熱交換器１５の前記冷媒側の流路１５ｂにおいて前記水側の流路１５ａを流れる水と熱交換を行って前記水に熱を放出し加熱しながら高圧の液体に変化する。こうして液体となった冷媒は全開状態の前記膨張弁１１１を経て前記膨張弁１１３において減圧されて低温・低圧の液体となって蒸発しやすい状態となり、蒸発器として機能する前記室外熱交換器１７において外気と熱交換を行って蒸発してガスに変化することで吸熱し、低温・低圧のガスとして再び圧縮機１４へと戻る。このとき、貯湯タンク２下部に接続された前記加熱往き管５から取り出された低温水（未加熱水）が、水冷媒熱交換器１５の前記水側の流路１５ａにおいて前記凝縮する冷媒から受熱して高温まで加熱された後、貯湯タンク２上部に接続された加熱戻り管６から貯湯タンク２内に戻されることで、貯湯タンク２内に順次高温水（加熱水）が積層状に貯湯される。
【００７８】
なおこのとき、前記膨張弁１１２、前記膨張弁１１４、前記二方弁１２２、前記二方弁１２４が全閉状態に制御されることにより、前記室内熱交換器２７と、その室内熱交換器２７側へ連通する、前記配管部２５ｉ、前記配管部２５ｆ、前記配管部２５ｄ、前記連通管路１０４、前記配管部２６ａ、前記配管部２６ｂ、前記連通管路１０３等と、の内部には、前記冷媒が封じ込められた状態となる（図６中の左下段のテーブル参照）。
【００７９】
以上の作動において、前記圧縮機１４の前記目標回転数（以下適宜、沸上運転時については「目標回転数Ｎｂ」と称する）は、前記圧縮機制御部４１０Ｂの制御により、外気温度Ｔａｉｒに基づき決定される。すなわち、例えば図７（ａ）の右下がり特性線で示すように、外気温度Ｔａｉｒが低い場合は目標回転数Ｎｂが大きくなるように制御され、外気温度Ｔａｉｒが高い場合は目標回転数Ｎｂが小さくなるように制御される。また前記室外ファン６７における前記室外ファン回転数Ｎ２は、前記室外ファン制御部４１０Ｄの制御により、外気温度Ｔａｉｒに基づき決定される。すなわち、外気温度Ｔａｉｒが低い場合はファン回転数が大きくなるように制御され、外気温度Ｔａｉｒが高い場合はファン回転数が小さくなるように制御される（図示省略）。ここで、前記圧縮機１４の目標回転数Ｎｂおよび室外ファン回転数Ｎ２は、外気温度Ｔａｉｒの高低によらず予め定められた一定の沸上能力となるようにそれぞれの回転数が定められている。
【００８０】
図６に戻り、また沸上ポンプ１９の回転数は、前記ポンプ制御部４２０Ａの制御により、前記沸上温度Ｔｂが所定の目標温度となるように、フィードバック制御される。すなわち、沸上温度Ｔｂが目標温度より低い場合はポンプ回転数が小さくなる（流量が低下する）ように制御され、沸上温度Ｔｂが目標温度より高い場合はポンプ回転数が大きくなる（流量が増大する）ように制御される。なお、室内ファン７７は、前記室内ファン制御部４３０Ａの制御により回転停止される。
【００８１】
そして、前記膨張弁１１３の開度は、前記膨張弁制御部４１０Ｃにより、前記冬期沸上運転の運転状態に応じて可変に制御される。詳細には、前記冷媒吐出温度Ｔｏｕｔと前記冷媒流出温度Ｔ２との温度差△Ｈ＝Ｔｏｕｔ−Ｔ２が、所定の目標温度差△Ｈｍとなるように、膨張弁１１３の開度を所定の周期でフィードバック制御する（△Ｈ制御）。すなわち、前記膨張弁制御部４１０Ｃは、△Ｈ＜△Ｈｍの場合は膨張弁１１３の開度を閉じる方向に制御し、△Ｈ＞△Ｈｍの場合は、膨張弁１１３の開度を開く方向に制御し、△Ｈ＝△Ｈｍの場合は、膨張弁１１３の開度を現状のまま維持する。
あるいは、この△Ｈ制御に代え、前記冷媒吐出温度Ｔｏｕｔが所定の一定値となるように、膨張弁１１３の開度をフィードバック制御してもよい（吐出制御）。この場合、前記膨張弁制御部４１０Ｃは、冷媒吐出温度Ｔｏｕｔが低すぎる場合は膨張弁１１３の開度を閉じる方向に制御し、冷媒吐出温度Ｔｏｕｔが高すぎる場合は膨張弁１１３の開度を開く方向に制御する。
【００８２】
＜暖房運転＞
次に、図８を用いて、暖房運転について説明する。この図８に示す暖房運転時においては、前記四方弁制御部４１０Ａにより、前記冬期沸上運転と同様、前記四方弁３１は、前記暖房位置に切り替えられる。また前記二方弁制御部４１０Ｅ，４２０Ｃにより、二方弁１２１が全閉状態、二方弁１２３が全閉状態、二方弁１２２が全開状態、二方弁１２５が全開状態、二方弁１２６が全閉状態、二方弁１２４が全閉状態に切り替えられる。さらに前記膨張弁制御部４１０Ｃにより、前記膨張弁１１２が全開状態、前記膨張弁１１４が全閉状態、前記膨張弁１１３が開き状態（詳細には前記と同様の吐出制御が行われる）、前記膨張弁１１１が全閉状態に制御される。
【００８３】
この結果、圧縮機１４の吐出側の配管部１８ｃ→配管部１８ｂ→配管部２５ｍ→配管部２５ｉ（二方弁１２２）→配管部２５ｆ→配管部２５ｄ→連通管路１０４→配管部２６ａ→室内熱交換器２７→配管部２６ｂ→連通管路１０３→配管部２５ｇ（膨張弁１１２）→配管部２５ｅ→配管部１８ｅ（膨張弁１１３）→室外熱交換器１７→配管部１８ｄ（二方弁１２５）→圧縮機１４の吸入側の配管部１８ａの冷媒経路が形成される。これにより、低温・低圧で吸入されたガス状態の冷媒が前記圧縮機１４で圧縮されて高温・高圧のガスとなった後、凝縮器として機能する室内熱交換器２７において室内空気と熱交換を行って熱を放出し空調対象空間を加熱しながら高圧の液体に変化する。こうして液体となった冷媒は全開状態の前記膨張弁１１２を経て前記膨張弁１１３において減圧されて低温・低圧の液体となって蒸発しやすい状態となり、蒸発器として機能する前記室外熱交換器１７において外気と熱交換を行って蒸発してガスに変化することで吸熱し、低温・低圧のガスとして再び圧縮機１４へと戻る。
【００８４】
なおこのとき、前記膨張弁１１１、前記二方弁１２１、前記二方弁１２３が全閉状態に制御されることにより、前記水冷媒熱交換器１５と、その水冷媒熱交換器１５側へ連通する前記配管部２５ｌ、前記配管部２５ｂ、前記配管部２５ｃの水冷媒熱交換器１５側の部分と、の内部には、前記冷媒が封じ込められた状態となる（図８中の左下段のテーブル参照）。
【００８５】
以上の作動において、前記圧縮機１４の前記目標回転数（以下適宜、暖房運転時については「目標回転数Ｎｈ」と称する）は、前記圧縮機制御部４１０Ｂの制御により、エアコン設定温度Ｔｃｏｎ−前記室内温度Ｔｒ（＝温度差△Ｔ。以下適宜，単に「温度差△Ｔ」という）の値が大きい場合は目標回転数が大きくなるように、前記温度差△Ｔ（＝Ｔｃｏｎ−Ｔｒ）の値が小さい場合は目標回転数が小さくなるように制御される。具体的には、この例では、図７（ｂ）に示すように、前記温度差△Ｔの範囲を、△Ｔ≦２［℃］、２＜△Ｔ≦５［℃］、５＜△Ｔ≦１０［℃］、１０＜Ｔ［℃］の４つに区分する。
【００８６】
そして、前記温度差△Ｔが４つの区分のうち最も小さい△Ｔ≦２［℃］の範囲である場合には、圧縮機制御部４１０Ｂは、圧縮機１４の前記目標回転数Ｎｈを２０［ｒｐｓ］となるように制御する。また、前記温度差△Ｔが４つの区分のうち２番目に小さい２＜△Ｔ≦５［℃］の範囲である場合には、圧縮機制御部４１０Ｂは、圧縮機１４の前記目標回転数Ｎｈを３０［ｒｐｓ］となるように制御する。また、前記温度差△Ｔが４つの区分のうち２番目に大きい５＜△Ｔ≦１０［℃］の範囲である場合には、圧縮機制御部４１０Ｂは、圧縮機１４の前記目標回転数Ｎｈを４０［ｒｐｓ］となるように制御する。そして、前記温度差△Ｔが４つの区分のうち最も大きい１０＜△Ｔ［℃］の範囲である場合には、圧縮機制御部４１０Ｂは、圧縮機１４の前記目標回転数Ｎｈを５０［ｒｐｓ］となるように制御する。
【００８７】
図８に戻り、また前記室外ファン６７の回転数は、前記室外ファン制御部４１０Ｄの制御により、外気温度Ｔａｉｒとエアコン運転モードに基づき決定される。すなわち、複数用意されたエアコン運転モード（例えば強力モード、通常モード、節電モード等）のそれぞれにおいて、外気温度Ｔａｉｒが低い場合はファン回転数が大きくなるように制御され、外気温度Ｔａｉｒが高い場合はファン回転数が小さくなるように制御される。
【００８８】
また前記室内ファン７７の回転数は、前記室内ファン制御部４３０Ａの制御により、室内温度Ｔｒとエアコン設定温度Ｔｃｏｎとの差に基づき決定される。すなわち、Ｔｃｏｎ−Ｔｒの値が大きい場合はファン回転数が大きくなるように制御され、Ｔｃｏｎ−Ｔｒの値が小さい場合はファン回転数が小さくなるように制御される。なお、沸上ポンプ１９は、前記ポンプ制御部４２０Ａの制御により回転停止される。
【００８９】
そして、前記膨張弁１１３の開度は、前記膨張弁制御部４１０Ｃにより、暖房運転の運転状態に応じて可変に制御される。詳細には、前記冷媒吐出温度Ｔｏｕｔが所定の一定値となるように、膨張弁１１３の開度がフィードバック制御される（前記同様の吐出制御）。この場合、前記膨張弁制御部４１０Ｃは、冷媒吐出温度Ｔｏｕｔが低すぎる場合は膨張弁１１３の開度を閉じる方向に制御し、冷媒吐出温度Ｔｏｕｔが高すぎる場合は膨張弁１１３の開度を開く方向に制御する。なお、前記吐出制御に代え、前記冷媒吸入温度Ｔｉｎと前記ヒーポン熱交温度Ｔｅｘとの温度差Ｔｉｎ−Ｔｅｘが所定の一定値となるように、膨張弁１１３の開度をフィードバック制御するようにしてもよい（ＳＨ制御）。この場合、前記膨張弁制御部４１０Ｃは、Ｔｉｎ−Ｔｅｘが小さすぎる場合は膨張弁１１３の開度を閉じる方向に制御し、Ｔｉｎ−Ｔｅｘが大きすぎる場合は膨張弁１１３の開度を開く方向に制御する。
【００９０】
＜沸上・暖房運転＞
次に、図９を用いて、沸上・暖房運転について説明する。この図９に示す沸上・暖房運転時においても、前記四方弁制御部４１０Ａにより、前記四方弁３１は、前記暖房位置に切り替えられる。また前記二方弁制御部４１０Ｅ，４２０Ｃにより、二方弁１２１が全開状態、二方弁１２３が全閉状態、二方弁１２２が全閉状態、二方弁１２５が全開状態、二方弁１２６が全閉状態、二方弁１２４が全閉状態に切り替えられる。さらに前記膨張弁制御部４１０Ｃにより、前記膨張弁１１２が全開状態、前記膨張弁１１４，１１１が開き状態（詳細には後述の分流制御が行われる）、前記膨張弁１１３が開き状態（詳細には前記と同様の△Ｈ制御が行われる）に制御される。
【００９１】
この結果、冷媒経路は、圧縮機１４の吐出側の配管部１８ｃ→配管部１８ｂ→配管部２５ｍ→配管部２５ａを経て前記分岐点Ｆにおいて２つに分かれ、一方は、配管部２５ｂ（二方弁１２１）→水冷媒熱交換器１５の冷媒側の流路１５ｂ→配管部２５ｃ（膨張弁１１１）を経て前記分岐点Ｄに至り、他方は、配管部２５ｈ（膨張弁１１４）→配管部２５ｄ→連通管路１０４→配管部２６ａ→室内熱交換器２７→配管部２６ｂ→連通管路１０３→配管部２５ｇ（膨張弁１１２）を経て前記分岐点Ｄへ至る。分岐点Ｄでこれら２つの経路が合流し、その後の経路は、前記分岐点Ｄ→配管部２５ｅ→配管部１８ｅ（膨張弁１１３）→室外熱交換器１７→配管部１８ｄ（二方弁１２５）→圧縮機１４の吸入側の配管部１８ａとなる。
【００９２】
これにより、低温・低圧で吸入されたガス状態の冷媒が前記圧縮機１４で圧縮されて高温・高圧のガスとなった後に前記のように分流し、前記一方の流れは前記水冷媒熱交換器１５（凝縮器として機能）で前記同様に凝縮して前記水側の流路１５ａを流れる水を加熱することで貯湯タンク２内へ順次高温水（加熱水）を供給し、前記他方の流れは室内熱交換器２７（凝縮器として機能）において前記同様に凝縮して室内空気に熱を放出することで空調対象空間を加熱する。前記の熱交換器１５，２７での凝縮で高圧の液体に変化した冷媒は前記膨張弁１１３において減圧されて低温・低圧の液体となった後前記室外熱交換器１７（蒸発器として機能）において蒸発して外気から吸熱し、低温・低圧のガスとして再び圧縮機１４へと戻る。
【００９３】
以上の作動において、前記圧縮機１４の回転数は、前記圧縮機制御部４１０Ｂの制御により、外気温度Ｔａｉｒに基づき決定される前記沸上運転時の目標回転数Ｎｂ（前記図７（ａ）参照）と、前記温度差△Ｔ（＝エアコン設定温度Ｔｃｏｎ−室内温度Ｔｒ）に基づき決定される前記暖房運転時の目標回転数Ｎｈ（前記図７（ｂ）参照）とを合算した和である、目標回転数Ｎｂｈ（＝Ｎｂ＋Ｎｈ）となるように制御される。すなわち、図７（ｃ）に示すように、この例では、図示のように４つ用意された特性線（下から順番に破線、一点鎖線、点線、二点鎖線）において、前記温度差△Ｔが大きくなるにつれて、より大回転数側の特性線となるように、使用する特性線を段階的に切り替える。
【００９４】
具体的には、図７（ｃ）に示すように、前記温度差△Ｔが前記△Ｔ≦２［℃］の範囲である場合には、圧縮機制御部４１０Ｂは、前記目標回転数Ｎｂｈを、制御基準としての実線（図７（ａ）の実線と同一）で示す前記沸上運転時の目標回転数Ｎｂに対し、図７（ｂ）に示した２０［ｒｐｓ］を加えた図７（ｃ）中の破線で示す特性となるように（すなわちＮｂｈ＝Ｎｂ＋２０となるように）制御する。また、前記温度差△Ｔが前記２＜△Ｔ≦５［℃］の範囲である場合には、圧縮機制御部４１０Ｂは、前記目標回転数Ｎｂｈを、実線で示す前記沸上運転時の目標回転数Ｎｂに対し、図７（ｂ）に示した３０［ｒｐｓ］を加えた図７（ｃ）中の一点鎖線で示す特性となるように（すなわちＮｂｈ＝Ｎｂ＋３０となるように）制御する。さらに、前記温度差△Ｔが前記５＜△Ｔ≦１０［℃］の範囲である場合には、圧縮機制御部４１０Ｂは、前記目標回転数Ｎｂｈを、実線で示す前記沸上運転時の目標回転数Ｎｂに対し、図７（ｂ）に示した４０［ｒｐｓ］を加えた図７（ｃ）中の点線で示す特性となるように（すなわちＮｂｈ＝Ｎｂ＋４０となるように）制御する。さらに、前記温度差△Ｔが前記１０＜△Ｔ［℃］の範囲である場合には、圧縮機制御部４１０Ｂは、前記目標回転数Ｎｂｈを、実線で示す前記沸上運転時の目標回転数Ｎｂに対し、図７（ｂ）に示した５０［ｒｐｓ］を加えた図７（ｃ）中の二点鎖線で示す特性となるように（すなわちＮｂｈ＝Ｎｂ＋５０となるように）制御する。
【００９５】
図９に戻り、また前記室外ファン６７の回転数は、前記室外ファン制御部４１０Ｄの制御により、前記暖房運転時と同様、外気温度Ｔａｉｒとエアコン運転モードに基づき、各エアコン運転モードにおいて、外気温度Ｔａｉｒが低い場合はファン回転数が大きくなるように、外気温度Ｔａｉｒが高い場合はファン回転数が小さくなるように制御される。
【００９６】
また沸上ポンプ１９の回転数は、前記ポンプ制御部４２０Ａの制御により、前記冬期沸上運転と同様、前記沸上温度Ｔｂが目標温度より低い場合はポンプ回転数が小さくなり、沸上温度Ｔｂが目標温度より高い場合はポンプ回転数が大きくなるように制御される。また前記室内ファン７７の回転数は、前記室内ファン制御部４３０Ａの制御により、前記暖房運転時と同様、室内温度Ｔｒとエアコン設定温度Ｔｃｏｎとの差に基づき、Ｔｃｏｎ−Ｔｒの値が大きい場合はファン回転数が大きくなるように、Ｔｃｏｎ−Ｔｒの値が小さい場合はファン回転数が小さくなるように制御される。
【００９７】
そして、前記膨張弁１１３の開度は、前記膨張弁制御部４１０Ｃにより、沸上・暖房運転の運転状態に応じて可変に制御され、前記冬期沸上運転と同様、前記冷媒吐出温度Ｔｏｕｔと前記冷媒流出温度Ｔ２との温度差△Ｈ＝Ｔｏｕｔ−Ｔ２が、所定の目標温度差△Ｈｍとなるように、所定の周期でフィードバック制御される（前記した△Ｈ制御）。
【００９８】
また、前記膨張弁１１１，１１４の開度は、前記膨張弁制御部４１０Ｃにより、冷媒を所望の割合（分流比）で水冷媒熱交換器１５側及び室内熱交換器２７側に配分し供給する、分流制御によって可変に制御される。この分流制御の制御内容の詳細を、図１０（ａ）及び図１０（ｂ）により説明する。
【００９９】
図１０（ａ）に、前記膨張弁制御部４１０Ｃにより実行される前記膨張弁１１１の開度制御の制御マップの一例を示す。図１０（ａ）及び図１０（ｂ）に示すマップでは、縦軸に沸上要求能力（この例では、対応する指標としての前記沸上時の目標回転数Ｎｂ）を下向き増加方向にとり、横軸に暖房要求能力（この例では、対応する指標としての前記暖房時の目標回転数Ｎｈ）を下向き増加方向にとったときの、各状態における目標開度の値（例えば全閉状態が「０」で全開状態が「５００」となる相対値）を表している。
【０１００】
図１０（ａ）に示すように、例えば沸上・暖房運転時における前記暖房要求能力が最小レベルで前記沸上要求能力も最小レベルであった場合には、膨張弁１１１の前記目標開度は開度「２５０」（例えば全開と全閉のちょうど中間となる開度）となるように制御される。この暖房要求能力が最小レベルのままで前記沸上要求能力が１ランク高くなると膨張弁１１１の前記目標開度は少し大きな開度「３００」となるように制御され、さらに前記沸上要求能力が１ランク高くなると膨張弁１１１の前記目標開度はさらに少し大きな開度「３５０」となるように制御され、さらに前記沸上要求能力が１ランク高くなると膨張弁１１１の前記目標開度はさらに少し大きな開度「４００」となるように制御され、さらに前記沸上要求能力が１ランク高くなると膨張弁１１１の前記目標開度はさらに少し大きな開度「４５０」（全開状態に近い状態）となるように制御される。このように膨張弁１１１の開度が徐々に大きくなることにより、水冷媒熱交換器１５側及び室内熱交換器２７側への分流における、水冷媒熱交換器１５側への分流比が増大するように制御される。
【０１０１】
同様に、前記暖房要求能力が最小レベルより１ランク高い状態で前記沸上要求能力が最小レベルであった場合には、膨張弁１１１の前記目標開度は前記開度「２５０」より小さい開度「２００」となるように制御される。これにより、前記分流における室内熱交換器２７側への分流比が（前記開度「２５０」の場合に比べると）やや増大する。この状態のままで前記沸上要求能力が１ランク高くなると膨張弁１１１の前記目標開度は少し大きな開度「２５０」となるように制御され、その後、前記沸上要求能力が１ランクずつ高くなるに連れて、膨張弁１１１の前記目標開度は「３００」「３５０」「４００」と徐々に大きくなるように制御され、水冷媒熱交換器１５側への分流比が増大する。
【０１０２】
さらに前記同様に、前記暖房要求能力が最小レベルより２ランク高い状態で前記沸上要求能力が最小レベルであった場合には、膨張弁１１１の前記目標開度は前記開度「２００」よりさらに小さい開度「１５０」となるように制御される。これにより、前記室内熱交換器２７側への分流比が（前記開度「２００」の場合に比べ）さらに増大する。この状態のままで前記沸上要求能力が１ランクずつ高くなるに連れて、膨張弁１１１の前記目標開度は「２００」「２５０」「３００」「３５０」と徐々に大きくなるように制御され、水冷媒熱交換器１５側への分流比が増大する。
【０１０３】
さらに前記同様に、前記暖房要求能力が最小レベルより３ランク高い状態で前記沸上要求能力が最小レベルであった場合には、膨張弁１１１の前記目標開度は前記開度「１５０」よりさらに小さい開度「１００」となるように制御される。これにより、前記室内熱交換器２７側への分流比が（前記開度「１５０」の場合に比べ）さらに増大する。この状態のままで前記沸上要求能力が１ランクずつ高くなるに連れて、膨張弁１１１の前記目標開度は「１５０」「２００」「２５０」「３００」と徐々に大きくなるように制御され、水冷媒熱交換器１５側への分流比が増大する。
【０１０４】
さらに前記同様に、前記暖房要求能力が最大レベルで前記沸上要求能力が最小レベルであった場合には、膨張弁１１１の前記目標開度は前記開度「１００」よりさらに小さい開度「５０」となるように制御される。これにより、前記室内熱交換器２７側への分流比が（前記開度「１００」の場合に比べ）さらに増大する。この状態のままで前記沸上要求能力が１ランク高くなるに連れて、膨張弁１１１の前記目標開度は「１００」「１５０」「２００」「２５０」と徐々に大きくなるように制御され、水冷媒熱交換器１５側への分流比が増大する。
【０１０５】
図１０（ｂ）に、前記膨張弁制御部４１０Ｃにより実行される前記膨張弁１１４の開度制御の制御マップの一例を示す。図１０（ｂ）に示すマップでは、前記同様、縦軸に沸上要求能力（沸上時の目標回転数Ｎｂ）、横軸に暖房要求能力（前記暖房時の目標回転数Ｎｈ）を下向き増加方向にとって表している。
【０１０６】
図１０（ｂ）に示すように、例えば沸上・暖房運転時における前記暖房要求能力が最小レベルで前記沸上要求能力も最小レベルであった場合には、膨張弁１１４の前記目標開度は開度「２５０」となるように制御される。この暖房要求能力が最小レベルのままで前記沸上要求能力が１ランク高くなると膨張弁１１４の前記目標開度は少し小さな開度「２００」となるように制御され、さらに前記沸上要求能力が１ランク高くなると膨張弁１１４の前記目標開度はさらに少し小さな開度「１５０」となるように制御され、さらに前記沸上要求能力が１ランク高くなると膨張弁１１４の前記目標開度はさらに少し小さな開度「１００」となるように制御され、さらに前記沸上要求能力が１ランク高くなると膨張弁１１４の前記目標開度はさらに少し大きな開度「５０」となるように制御される。このように膨張弁１１４の開度が徐々に小さくなることにより、水冷媒熱交換器１５側及び室内熱交換器２７側への分流における、水冷媒熱交換器１５側への分流比が増大するように制御される。
【０１０７】
同様に、前記暖房要求能力が最小レベルより１ランク高い状態で前記沸上要求能力が最小レベルであった場合には、膨張弁１１４の前記目標開度は前記開度「２５０」より大きい開度「３００」となるように制御される。これにより、前記分流における室内熱交換器２７側への分流比が（前記開度「２５０」の場合に比べると）やや増大する。この状態のままで前記沸上要求能力が１ランク高くなると膨張弁１１４の前記目標開度は少し小さな開度「２５０」となるように制御され、その後、前記沸上要求能力が１ランクずつ高くなるに連れて、膨張弁１１４の前記目標開度は「２００」「１５０」「１００」と徐々に小さくなるように制御され、水冷媒熱交換器１５側への分流比が増大する。
【０１０８】
さらに前記同様に、前記暖房要求能力が最小レベルより２ランク高い状態で前記沸上要求能力が最小レベルであった場合には、膨張弁１１４の前記目標開度は前記開度「３００」よりさらに大きい開度「３５０」となるように制御される。これにより、前記室内熱交換器２７側への分流比が（前記開度「３００」の場合に比べ）さらに増大する。この状態のままで前記沸上要求能力が１ランクずつ高くなるに連れて、膨張弁１１４の前記目標開度は「３００」「２５０」「２００」「１５０」と徐々に小さくなるように制御され、水冷媒熱交換器１５側への分流比が増大する。
【０１０９】
さらに前記同様に、前記暖房要求能力が最小レベルより３ランク高い状態で前記沸上要求能力が最小レベルであった場合には、膨張弁１１４の前記目標開度は前記開度「３５０」よりさらに大きい開度「４００」となるように制御される。これにより、前記室内熱交換器２７側への分流比が（前記開度「３５０」の場合に比べ）さらに増大する。この状態のままで前記沸上要求能力が１ランクずつ高くなるに連れて、膨張弁１１４の前記目標開度は「３５０」「３００」「２５０」「２００」と徐々に小さくなるように制御され、水冷媒熱交換器１５側への分流比が増大する。
【０１１０】
さらに前記同様に、前記暖房要求能力が最大レベルで前記沸上要求能力が最小レベルであった場合には、膨張弁１１４の前記目標開度は前記開度「４００」よりさらに大きな開度「４５０」（全開状態に近い状態）となるように制御される。これにより、前記室内熱交換器２７側への分流比が（前記開度「４００」の場合に比べ）さらに増大する。この状態のままで前記沸上要求能力が１ランク高くなるに連れて、膨張弁１１４の前記目標開度は「４００」「３５０」「３００」「２５０」と徐々に小さくなるように制御され、水冷媒熱交換器１５側への分流比が増大する。
【０１１１】
＜夏期沸上運転＞
次に、夏期において実行するのに好適な沸上運転（以下適宜、夏期沸上運転という）を図１１を用いて説明する。
【０１１２】
この図１１に示す夏期沸上運転時においては、前記四方弁制御部４１０Ａにより、前記四方弁３１は、前記配管部１８ｃを前記配管部１８ｄに連通させると共に前記配管部１８ａを前記配管部１８ｂに連通させる位置（前記した冷房位置）に切り替えられる。また前記二方弁制御部４１０Ｅ，４２０Ｃにより、二方弁１２１が全閉状態、二方弁１２３が全開状態、二方弁１２２が全閉状態、二方弁１２５が全閉状態、二方弁１２６が全開状態、二方弁１２４が全閉状態に切り替えられる。さらに前記膨張弁制御部４１０Ｃにより、前記膨張弁１１２が全閉状態、前記膨張弁１１４が全閉状態、前記膨張弁１１３が開き状態（詳細には前述の△Ｈ制御が行われる）、前記膨張弁１１１が全開状態に制御される。
【０１１３】
この結果、圧縮機１４の吐出側の配管部１８ｃ→配管部１８ｄ→配管部２５ｊ（二方弁１２３）→配管部２５ｂ→水冷媒熱交換器１５の冷媒側の流路１５ｂ→配管部２５ｃ（膨張弁１１１）→配管部２５ｅ→配管部１８ｅ（膨張弁１１３）→室外熱交換器１７→配管部１８ｄ→配管部１８ｆ→配管部１８ｂ→圧縮機１４の吸入側の配管部１８ａの冷媒経路が形成される。これにより、低温・低圧で吸入されたガス状態の冷媒が前記圧縮機１４で圧縮されて高温・高圧のガスとなった後、凝縮器として機能する水冷媒熱交換器１５の前記冷媒側の流路１５ｂにおいて前記水側の流路１５ａを流れる水と熱交換を行って前記水に熱を放出し加熱しながら高圧の液体に変化する。こうして液体となった冷媒は全開状態の前記膨張弁１１１を経て前記膨張弁１１３において減圧されて低温・低圧の液体となって蒸発しやすい状態となり、蒸発器として機能する前記室外熱交換器１７において外気と熱交換を行って蒸発してガスに変化することで吸熱し、低温・低圧のガスとして再び圧縮機１４へと戻る。このとき、貯湯タンク２下部に接続された前記加熱往き管５から取り出された低温水（未加熱水）が、水冷媒熱交換器１５の前記水側の流路１５ａにおいて前記凝縮する冷媒から受熱して高温まで加熱された後、貯湯タンク２上部に接続された加熱戻り管６から貯湯タンク２内に戻されることで、貯湯タンク２内に順次高温水（加熱水）が積層状に貯湯される。
【０１１４】
なおこのとき、前記図６の冬期沸上運転時と同様、前記膨張弁１１２、前記膨張弁１１４、前記二方弁１２２、前記二方弁１２４が全閉状態に制御されることにより、前記室内熱交換器２７と、その室内熱交換器２７側へ連通する、前記配管部２５ｉ、前記配管部２５ｆ、前記配管部２５ｄ、前記連通管路１０４、前記配管部２６ａ、前記配管部２６ｂ、前記連通管路１０３等と、の内部には、前記冷媒が封じ込められた状態となっている（図１１中の左下段のテーブル参照）。
【０１１５】
以上の作動において、前記図６の冬期沸上運転時と同様、前記圧縮機１４の前記目標回転数Ｎｂは、前記圧縮機制御部４１０Ｂの制御により、前記図７（ａ）に示したすように、外気温度Ｔａｉｒが低い場合は目標回転数Ｎｂが大きくなるように制御され、外気温度Ｔａｉｒが高い場合は目標回転数Ｎｂが小さくなるように制御される。また前記室外ファン６７における前記室外ファン回転数Ｎ２は、前記室外ファン制御部４１０Ｄの制御により、外気温度Ｔａｉｒが低い場合はファン回転数が大きくなるように制御され、外気温度Ｔａｉｒが高い場合はファン回転数が小さくなるように制御される。これら前記圧縮機１４の目標回転数Ｎｂおよび室外ファン回転数Ｎ２は、前記同様、外気温度Ｔａｉｒの高低によらず予め定められた一定の沸上能力となるようにそれぞれの回転数が定められている。
【０１１６】
また沸上ポンプ１９の回転数についても、前記図６の冬期沸上運転時と同様、前記ポンプ制御部４２０Ａの制御により、沸上温度Ｔｂが目標温度より低い場合はポンプ回転数が小さくなるように制御され、沸上温度Ｔｂが目標温度より高い場合はポンプ回転数が大きくなるように制御される。なお、室内ファン７７は、前記室内ファン制御部４３０Ａの制御により回転停止される。
【０１１７】
また前記膨張弁１１３の開度についても、前記図６の冬期沸上運転時と同様、前記膨張弁制御部４１０Ｃにより、前記冷媒吐出温度Ｔｏｕｔと前記冷媒流出温度Ｔ２との温度差△Ｈ＝Ｔｏｕｔ−Ｔ２が、所定の目標温度差△Ｈｍとなるように、前記△Ｈ制御が行われる（これに代え、前記の吐出制御を行っても良い）。
【０１１８】
＜冷房運転＞
次に、図１２を用いて、冷房運転について説明する。この図１２に示す冷房運転時においては、前記四方弁制御部４１０Ａにより、前記夏期沸上運転と同様、前記四方弁３１は、前記冷房位置に切り替えられる。また前記二方弁制御部４１０Ｅ，４２０Ｃにより、二方弁１２１が全閉状態、二方弁１２３が全閉状態、二方弁１２２が全開状態、二方弁１２５が全開状態、二方弁１２６が全閉状態、二方弁１２４が全閉状態に切り替えられる。さらに前記膨張弁制御部４１０Ｃにより、前記膨張弁１１２が開き状態（公知の過熱制御制御が行われる。詳細な説明は省略）、前記膨張弁１１４が全閉状態、前記膨張弁１１３が全開状態、前記膨張弁１１１が全閉状態に制御される。
【０１１９】
この結果、圧縮機１４の吐出側の配管部１８ｃ→配管部１８ｄ（二方弁１２５）→室外熱交換器１７→配管部１８ｅ（膨張弁１１３）→配管部２５ｅ→配管部２５ｇ（膨張弁１１２）→連通管路１０３→配管部２６ｂ→室内熱交換器２７→配管部２６ａ→連通管路１０４→配管部２５ｄ→配管部２５ｆ→配管部２５ｉ（二方弁１２２）→配管部２５ｍ→配管部１８ｂ→圧縮機１４の吸入側の配管部１８ａの冷媒経路が形成される。これにより、低温・低圧で吸入されたガス状態の冷媒が前記圧縮機１４で圧縮されて高温・高圧のガスとなった後、室外ファン６７の回転駆動とともに凝縮器として機能する前記室外熱交換器１７において外気と熱交換を行って熱を放出しながら高圧の液体に変化する。こうして液体となった冷媒は全開状態の前記膨張弁１１３を経て前記膨張弁１１２において減圧されて低温・低圧の液体となって蒸発しやすい状態となり、室内ファン７７の回転駆動とともに蒸発器として機能する前記室内熱交換器２７において室内空気から吸熱して蒸発しガスに変化することで空調対象空間を冷却し、低温・低圧のガスとして再び圧縮機１４へと戻る。
【０１２０】
なおこのとき、前記膨張弁１１１、前記二方弁１２１、前記二方弁１２３が全閉状態に制御されることにより、前記水冷媒熱交換器１５と、その水冷媒熱交換器１５側へ連通する前記配管部２５ｌ、前記配管部２５ｂ、前記配管部２５ｃの水冷媒熱交換器１５側の部分と、の内部には、前記冷媒が封じ込められた状態となる（図１２中の左下段のテーブル参照）。
【０１２１】
以上の作動において、前記暖房運転時と同様、前記圧縮機１４の回転数は、前記圧縮機制御部４１０Ｂの制御により、前記Ｔｃｏｎ−Ｔｒの値が大きい場合は圧縮機回転数が大きくなるように、前記Ｔｃｏｎ−Ｔｒの値が小さい場合は圧縮機回転数が小さくなるように制御される。また前記室外ファン６７の回転数は、前記室外ファン制御部４１０Ｄの制御により、エアコン運転モードが例えば強力モードの場合はファン回転数が大きくなるように制御され、通常モードや節電モードの場合はファン回転数が小さくなるように制御される。さらに各エアコン運転モードにおいて、外気温度Ｔａｉｒが低い場合はファン回転数が小さくなるように、外気温度Ｔａｉｒが高い場合はファン回転数が大きくなるように制御される。また前記室内ファン７７の回転数は、前記室内ファン制御部４３０Ａの制御により、前記Ｔｃｏｎ−Ｔｒの値が大きい場合はファン回転数が大きくなるように、前記Ｔｃｏｎ−Ｔｒの値が小さい場合はファン回転数が小さくなるように制御される。沸上ポンプ１９は、前記ポンプ制御部４２０Ａの制御により回転停止される。
【０１２２】
次に、図１３を用いて、沸上・冷房運転について説明する。この図１３に示す沸上・冷房運転時においては、本実施形態の特徴の１つとして、前記四方弁制御部４１０Ａにより、前記四方弁３１は、従来の手法と異なり前記冷房位置（すなわち前記冷房運転時と同じ側）に切り替えられる。また前記二方弁制御部４１０Ｅ，４２０Ｃにより、二方弁１２１が全閉状態、二方弁１２３が全開状態、二方弁１２２が全開状態、二方弁１２５が全閉状態、二方弁１２６が全開状態、二方弁１２４が全閉状態に切り替えられる。さらに前記膨張弁制御部４１０Ｃにより、前記膨張弁１１２が開き状態（詳細には前記と同様の△Ｈ制御が行われる）、前記膨張弁１１４が全閉状態、前記膨張弁１１３が開き状態（詳細には後述の能力調整制御が行われる）、前記膨張弁１１１が全開状態に制御される。
【０１２３】
この結果、冷媒経路は、圧縮機１４の吐出側の配管部１８ｃ→配管部１８ｄ→配管部２５ｊ→配管部２５ｌ（二方弁１２３）→配管部２５ｂ→水冷媒熱交換器１５の冷媒側の流路１５ｂ→配管部２５ｃ（膨張弁１１１）を経て前記分岐点Ｄにおいて２つに分かれ、一方は、配管部２５ｅ→配管部１８ｅ（膨張弁１１３）→室外熱交換器１７→配管部１８ｄ→配管部１８ｆ（二方弁１２６）を経て前記分岐点Ｃに至り、他方は、配管部２５ｇ（膨張弁１１２）→連通管路１０３→配管部２６ｂ→室内熱交換器２７→配管部２６ａ→連通管路１０４→配管部２５ｄ→配管部２５ｆ→配管部２５ｉ（二方弁１２２）→配管部２５ｍを経て前記分岐点Ｃに至る。分岐点Ｃでこれら２つの経路が合流し、その後の経路は、前記分岐点Ｃ→配管部１８ｂ→圧縮機１４の吸入側の配管部１８ａとなる。
【０１２４】
これにより、低温・低圧で吸入されたガス状態の冷媒が前記圧縮機１４で圧縮されて高温・高圧のガスとなった後、まず前記水冷媒熱交換器１５（凝縮器として機能）で前記同様に凝縮して前記水側の流路１５ａを流れる水を加熱することで貯湯タンク２内へ順次高温水（加熱水）を供給し、液体となった冷媒は全開状態の前記膨張弁１１１において減圧されて低温・低圧の液体となって蒸発しやすい状態となった後に前記のように分流する。そして、前記一方の流れは、前記膨張弁１１３においてさらに減圧された後前記室外熱交換器１７（蒸発器として機能）において蒸発して外気から吸熱し、前記他方の流れは、前記膨張弁１１２においてさらに減圧された後前記室内熱交換器２７（蒸発器として機能）において室内空気から吸熱して蒸発しガスに変化することで空調対象空間を冷却し、それぞれ、低温・低圧のガスとして再び圧縮機１４へと戻る。
【０１２５】
以上の作動において、前記圧縮機１４の回転数は、前記圧縮機制御部４１０Ｂの制御により、前記冷房運転時と同様の、室内温度Ｔｒとエアコン設定温度Ｔｃｏｎとの差に基づき決定される。また前記室外ファン６７の回転数は、前記室外ファン制御部４１０Ｄの制御により、前記冷房運転時と同様、各エアコン運転モードにおいて外気温度Ｔａｉｒが低い場合はファン回転数が大きくなるように、外気温度Ｔａｉｒが高い場合はファン回転数が小さくなるように制御されるが、適宜の手法によって冷房運転時よりは低回転数に制御される。
【０１２６】
また沸上ポンプ１９の回転数は、前記ポンプ制御部４２０Ａの制御により、前記冬期沸上運転や前記夏期沸上運転や沸上・暖房運転と同様、前記沸上温度Ｔｂが目標温度より低い場合はポンプ回転数が小さくなり、沸上温度Ｔｂが目標温度より高い場合はポンプ回転数が大きくなるように制御される。また前記室内ファン７７の回転数は、前記室内ファン制御部４３０Ａの制御により、前記冷房運転等のときと同様、室内温度Ｔｒとエアコン設定温度Ｔｃｏｎとの差に基づき、Ｔｃｏｎ−Ｔｒの値が大きい場合はファン回転数が大きくなるように、Ｔｃｏｎ−Ｔｒの値が小さい場合はファン回転数が小さくなるように制御される。
【０１２７】
そして、前記膨張弁１１２の開度は、前記膨張弁制御部４１０Ｃにより、沸上・冷房運転の運転状態に応じて可変に制御される。詳細には、前記冷媒吐出温度Ｔｏｕｔと前記冷媒流出温度Ｔ２との温度差△Ｈ＝Ｔｏｕｔ−Ｔ２が、所定の目標温度差△Ｈｍとなるように、膨張弁１１２の開度が所定の周期でフィードバック制御される（前記同様のいわゆる△Ｈ制御）。すなわち、前記膨張弁制御部４１０Ｃは、△Ｈ＜△Ｈｍの場合は膨張弁１１２の開度を閉じる方向に制御し、△Ｈ＞△Ｈｍの場合は、膨張弁１１２の開度を開く方向に制御し、△Ｈ＝△Ｈｍの場合は、膨張弁１１２の開度を現状のまま維持する。
あるいは、この△Ｈ制御に代え、前記冷媒吐出温度Ｔｏｕｔが所定の一定値となるように、膨張弁１１２の開度をフィードバック制御してもよい（吐出制御）。この場合、前記膨張弁制御部４１０Ｃは、冷媒吐出温度Ｔｏｕｔが低すぎる場合は膨張弁１１２の開度を閉じる方向に制御し、冷媒吐出温度Ｔｏｕｔが高すぎる場合は膨張弁１１２の開度を開く方向に制御する。
【０１２８】
さらに、前記膨張弁１１３の開度は、前記膨張弁制御部４１０Ｃにより、沸上・冷房運転の運転状態に応じて可変に制御される。詳細には、前記熱交温度センサ３６により検出された前記室内熱交温度Ｔｅｖに基づき、前記膨張弁１１３の開度の能力調整制御が行われる。この能力調整制御の意義及び内容は、以下の通りである。すなわち、この沸上・冷房運転の開始直後等の空調対象の冷房負荷が大きい状態から、ある程度時間が経過し、冷房負荷が小さくなると、実使用上は、冷房能力は定格能力よりも低い能力で十分となる。ここで、そのままだと冷房能力を抑制すると同時に沸上能力も低下してしまうこととなるが、貯湯タンク２における湯切れ等の発生防止の観点からは、沸上能力は一定のレベルを維持することが好ましい。そこで、前記室内熱交換器２７に前記熱交温度センサ３６を設け、冷房能力が低下し十分に冷媒が蒸発していないことを検出したら、これに対応して前記膨張弁１１３を制御することで、前記沸上能力を一定に保つようにする。具体的には、前記熱交温度センサ３６が検出する蒸発温度の低下に対応して、膨張弁１１３の弁開度を大きくするように制御する。これにより、前記室内熱交換器２７において不足した蒸発能力を前記室外熱交換器１７側で補い、貯湯タンク２内の湯水に対する沸上能力が一定に保たれる。
【０１２９】
なお、本実施形態においては、前記沸上・冷房運転の別の態様として、従来の手法と同様に、前記四方弁３１を前記暖房位置（すなわち前記冷房運転時とは逆の側）に切り替えた状態で運転することも可能である。そのような沸上・冷房運転を図１４により説明する。
【０１３０】
図１４に示す例は、例えば春期・秋期等、直前まで前記暖房運転や前記沸上・暖房運転を行い前記四方弁３１が前記暖房位置に切り替わっていた状態で沸上・冷房運転を行いたいときに（典型的には季節の変わり目等において）、好適な運転例である。すなわち、この図１４に示す沸上・冷房運転時においては、前記したように、前記四方弁制御部４１０Ａにより前記四方弁３１は前記暖房位置に切り替えられる。また前記二方弁制御部４１０Ｅ，４２０Ｃにより、二方弁１２１が全開状態、二方弁１２３が全閉状態、二方弁１２２が全閉状態、二方弁１２５が全開状態、二方弁１２６が全閉状態、二方弁１２４が全開状態に切り替えられる。さらに前記膨張弁制御部４１０Ｃにより、前記膨張弁１１２が開き状態（詳細には前記と同様の△Ｈ制御が行われる）、前記膨張弁１１４が全閉状態、前記膨張弁１１３が開き状態（詳細には前述の分流制御が行われる）、前記膨張弁１１１が全開状態に制御される。
【０１３１】
この結果、冷媒経路は、圧縮機１４の吐出側の配管部１８ｃ→配管部１８ｂ→配管部２５ｍ→配管部２５ａ→配管部２５ｂ（二方弁１２１）→水冷媒熱交換器１５の冷媒側の流路１５ｂ→配管部２５ｃ（膨張弁１１１）を経て前記分岐点Ｄにおいて２つに分かれ、一方は、配管部２５ｅ→配管部１８ｅ（膨張弁１１３）→室外熱交換器１７→配管部１８ｄ（二方弁１２５）を経て前記分岐点Ａに至り、他方は、配管部２５ｇ（膨張弁１１２）→連通管路１０３→配管部２６ｂ→室内熱交換器２７→配管部２６ａ→連通管路１０４→配管部２５ｄ→配管部２５ｆ→配管部２５ｋ（二方弁１２４）→配管部２５ｊを経て前記分岐点Ａに至る。分岐点Ａでこれら２つの経路が合流し、その後の経路は、前記分岐点Ａ→配管部１８ｄ→圧縮機１４の吸入側の配管部１８ａとなる。
【０１３２】
これにより、低温・低圧で吸入されたガス状態の冷媒が前記圧縮機１４で圧縮されて高温・高圧のガスとなった後、まず前記水冷媒熱交換器１５（凝縮器として機能）で前記同様に凝縮して前記水側の流路１５ａを流れる水を加熱することで貯湯タンク２内へ順次高温水（加熱水）を供給し、液体となった冷媒は全開状態の前記膨張弁１１１において減圧されて低温・低圧の液体となって蒸発しやすい状態となった後に前記のように分流する。そして、前記一方の流れは、前記膨張弁１１３においてさらに減圧された後前記室外熱交換器１７（蒸発器として機能）において蒸発して外気から吸熱し、前記他方の流れは、前記膨張弁１１２においてさらに減圧された後前記室内熱交換器２７（蒸発器として機能）において室内空気から吸熱して蒸発しガスに変化することで空調対象空間を冷却し、それぞれ、低温・低圧のガスとして再び圧縮機１４へと戻る。
【０１３３】
以上の作動において、前記圧縮機１４の回転数は、前記図１３の沸上・冷房運転時と同様、前記圧縮機制御部４１０Ｂの制御により、室内温度Ｔｒとエアコン設定温度Ｔｃｏｎとの差に基づき決定される。また前記室外ファン６７の回転数は、前記室外ファン制御部４１０Ｄの制御により、前記同様、各エアコン運転モードにおいて外気温度Ｔａｉｒに応じて制御されるが、冷房運転時よりは低回転数に制御される。また沸上ポンプ１９の回転数は、前記ポンプ制御部４２０Ａの制御により、前記同様、前記沸上温度Ｔｂが目標温度となるように制御される。また前記室内ファン７７の回転数は、前記室内ファン制御部４３０Ａの制御により、前記同様、室内温度Ｔｒとエアコン設定温度Ｔｃｏｎとの差に基づき制御される。
【０１３４】
また、前記膨張弁１１２の開度は、前記図１３の沸上・冷房運転時と同様、前記膨張弁制御部４１０Ｃにより、前記冷媒吐出温度Ｔｏｕｔと前記冷媒流出温度Ｔ２との温度差△Ｈ＝Ｔｏｕｔ−Ｔ２が、所定の目標温度差△Ｈｍとなるように、前記の△Ｈ制御が行われる（あるいは、前記吐出制御でもよい）。
【０１３５】
さらに、前記膨張弁１１３の開度は、前記膨張弁制御部４１０Ｃにより、冷媒を所望の割合（分流比）で室外熱交換器１７側及び室内熱交換器２７側に配分し供給する、前記同様の分流制御によって可変に制御される。この分流制御の制御内容の詳細を、図１５により説明する。
【０１３６】
図１５に、前記膨張弁制御部４１０Ｃにより実行される前記膨張弁１１３の開度制御の制御マップの一例を示す。図１５に示すマップは、縦軸に沸上要求能力を下向き増加方向にとり、横軸に冷房要求能力を下向き増加方向にとったときの、各状態における目標開度の値（例えば全閉状態が「０」で全開状態が「５００」となる相対値）を表している。
【０１３７】
図１５に示すように、例えば前記沸上・冷房運転時における前記冷房要求能力が最小レベルで前記沸上要求能力も最小レベルであった場合には、膨張弁１１３の前記目標開度は開度「２５０」（例えば全開と全閉のちょうど中間となる開度）となるように制御される。この冷房要求能力が最小レベルのままで前記沸上要求能力が１ランク高くなると膨張弁１１３の前記目標開度は少し大きな開度「３００」となるように制御され、さらに前記沸上要求能力が１ランク高くなると膨張弁１１３の前記目標開度はさらに少し大きな開度「３５０」となるように制御され、さらに前記沸上要求能力が１ランク高くなると膨張弁１１３の前記目標開度はさらに少し大きな開度「４００」となるように制御され、さらに前記沸上要求能力が１ランク高くなると膨張弁１１３の前記目標開度はさらに少し大きな開度「４５０」（全開状態に近い状態）となるように制御される。このように膨張弁１１３の開度が徐々に大きくなることにより、室外熱交換器１７側及び室内熱交換器２７側への分流における、室外熱交換器１７側への分流比が増大するように制御される。
【０１３８】
同様に、前記冷房要求能力が最小レベルより１ランク高い状態で前記沸上要求能力が最小レベルであった場合には、膨張弁１１３の前記目標開度は前記開度「２５０」より小さい開度「２００」となるように制御される。これにより、前記分流における室内熱交換器２７側への分流比が（前記開度「２５０」の場合に比べると）やや増大する。この状態のままで前記沸上要求能力が１ランク高くなると膨張弁１１３の前記目標開度は少し大きな開度「２５０」となるように制御され、その後、前記沸上要求能力が１ランクずつ高くなるに連れて、膨張弁１１３の前記目標開度は「３００」「３５０」「４００」と徐々に大きくなるように制御され、室外熱交換器１７側への分流比が増大する。
【０１３９】
さらに前記同様に、前記冷房要求能力が最小レベルより２ランク高い状態で前記沸上要求能力が最小レベルであった場合には、膨張弁１１３の前記目標開度は前記開度「２００」よりさらに小さい開度「１５０」となるように制御される。これにより、前記室内熱交換器２７側への分流比が（前記開度「２００」の場合に比べ）さらに増大する。この状態のままで前記沸上要求能力が１ランクずつ高くなるに連れて、膨張弁１１３の前記目標開度は「２００」「２５０」「３００」「３５０」と徐々に大きくなるように制御され、室外熱交換器１７側への分流比が増大する。
【０１４０】
さらに前記同様に、前記冷房要求能力が最小レベルより３ランク高い状態で前記沸上要求能力が最小レベルであった場合には、膨張弁１１３の前記目標開度は前記開度「１５０」よりさらに小さい開度「１００」となるように制御される。これにより、前記室内熱交換器２７側への分流比が（前記開度「１５０」の場合に比べ）さらに増大する。この状態のままで前記沸上要求能力が１ランクずつ高くなるに連れて、膨張弁１１３の前記目標開度は「１５０」「２００」「２５０」「３００」と徐々に大きくなるように制御され、室外熱交換器１７側への分流比が増大する。
【０１４１】
さらに前記同様に、前記冷房要求能力が最大レベルで前記沸上要求能力が最小レベルであった場合には、膨張弁１１３の前記目標開度は前記開度「１００」よりさらに小さい開度「５０」となるように制御される。これにより、前記室内熱交換器２７側への分流比が（前記開度「１００」の場合に比べ）さらに増大する。この状態のままで前記沸上要求能力が１ランク高くなるに連れて、膨張弁１１３の前記目標開度は「１００」「１５０」「２００」「２５０」と徐々に大きくなるように制御され、室外熱交換器１７側への分流比が増大する。
【０１４２】
以上説明したように、本実施形態のヒートポンプ給湯機１においては、まず、前記四方弁３１を前記冷房位置に切り替えることで、図１２を用いて前記した前記冷房運転を実行することができる。すなわち、前記冷房位置への切替により、圧縮機１４の吐出側の前記配管部１８ｃが前記配管部１８ｄを介し凝縮器としての室外熱交換器１７の入口側に連通し、さらにその室外熱交換器１７の出口側が前記配管部１８ｅ、前記配管部２５ｅ、前記配管部２５ｇ、前記連通管路１０３、前記配管部２６ｂを介し蒸発器としての前記室内熱交換器２７の入口側に接続され、さらにその室内熱交換器２７の出口側が前記配管部２６ａ、前記連通管路１０４、前記配管部２５ｄ、前記配管部２５ｆ、前記配管部２５ｉ、前記配管部２５ｍ、を介し圧縮機１４の吸込側の前記配管部１８ａに連通する。これにより、圧縮機１４から吐出された高温高圧の冷媒ガスが前記室外熱交換器１７で外気へ放熱し凝縮して液体冷媒となり、その後前記室内熱交換器２７で蒸発することで室内空気から吸熱して圧縮機１４へと戻る、前記冷房運転が実現される。
【０１４３】
そしてまた、本実施形態のヒートポンプ給湯機１においては、前記第１管路を構成する前記配管部１８ｄや、前記第２管路を構成する前記配管部１８ｅ、前記配管部２５ｅ、前記配管部２５ｇ、前記連通管路１０３、前記配管部２６ｂや、前記第３管路を構成する前記配管部１８ｂ、前記配管部２５ｍ、前記配管部２５ｉ、前記配管部２５ｆ、前記配管部２５ｄ、前記連通管路１０４、前記配管部２６ａとは別に、前記第１管路から分岐して接続される第４管路を構成する前記配管部２５ｊ及び前記配管部２５ｌ、前記第２管路から分岐して接続される第５管路を構成する配管部２５ｃ、前記第１管路から分岐して接続される第６管路を構成する配管部１８ｆが設けられている。これらを用いることで、前記四方弁３１を前記冷房位置とした状態で、室内空間の冷房を行いつつ貯湯タンク内の湯水の加温を行う、沸上・冷房運転を実行することができる。
【０１４４】
すなわち、前記配管部１８ｄの分岐点Ａから分岐する前記前記配管部２５ｊ及び前記配管部２５ｌを介し、圧縮機１４の吐出側が凝縮器としての水冷媒熱交換器１５の入口側に連通し、さらにその水冷媒熱交換器１５の出口側が、配管部２５ｃを介し、前記分岐点Ｄに接続される。このとき分岐点Ｄは、前記配管部２５ｇ、前記連通管路１０３、及び前記配管部２６ｂを介して蒸発器としての前記室内熱交換器２７の入口側に接続され、その室内熱交換器２７の出口側が前記配管部２６ａ、前記連通管路１０４、前記配管部２５ｄ、前記配管部２５ｆ、前記配管部２５ｉ、前記配管部２５ｍ、前記配管部１８ｂを介して圧縮機１４の吸込側に連通される。
【０１４５】
一方、前記分岐点Ｄはまた、凝縮器として機能するときの前記室外熱交換器１７の出口側（言い換えれば蒸発器としての前記室外熱交換器１７の入口側）にも接続されている。この蒸発器としての前記室外熱交換器１７の出口側（言い換えれば凝縮器として機能するときの前記室外熱交換器１７の入口側）に接続される前記第１管路に備えられた前記分岐点Ｂからは前記配管部１８ｆが分岐して接続されており、この配管部１８ｆは、前記分岐点Ｃに接続され、圧縮機１４の吸込側に連通されることとなる。
【０１４６】
このような接続態様により、圧縮機１４から吐出された高温高圧の冷媒ガスは前記配管部２５ｊ及び前記配管部２５ｌを介して前記水冷媒熱交換器１５へ導入され、当該水冷媒熱交換器１５において貯湯タンク２へ通じる湯水配管へ放熱し凝縮して液体冷媒となり、その後配管部２５ｃを介して分岐点Ｄへ導入される。導入された前記液体冷媒の一部は分岐点Ｄから前記室内熱交換器２７へと導入され当該室内熱交換器２７で蒸発することで室内空気から吸熱した後、前記配管部２６ａ、前記連通管路１０４、前記配管部２５ｄ、前記配管部２５ｆ、前記配管部２５ｉ、前記配管部２５ｍ、前記配管部１８ｂを介して圧縮機１４へと戻る一方、前記導入された前記液体冷媒の残りは分岐点Ｄから前記室外熱交換器１７へと導入され当該室外熱交換器１７で蒸発することで外気から吸熱した後、分岐点Ｂから配管部１８ｆを介して分岐点Ｃで合流し、圧縮機１４へと戻る。このようにして、室内空間の冷却と貯湯タンク２内の湯水の加温とを同時並行して行う沸上・冷房運転が実現される。
【０１４７】
以上のように、本実施形態のヒートポンプ給湯機１によれば、冷房運転及び沸上・冷房運転のいずれについても、四方弁３１を同じ切替位置（前記冷房位置）に切り替えた状態のまま行うことができる。この結果、沸上・冷房運転時において四方弁３１を冷房運転時とは逆向きの位置に切り替える必要があった従来手法のように、当該四方弁切替時における運転中断により室温が上昇し冷房感の低下が生じるのを防止することができる。
【０１４８】
また、本実施形態では特に、前記四方弁３１が前記暖房位置にある前記暖房運転時（図８参照）において、前記第３管路を構成する、前記配管部１８ｂ、前記配管部２５ｍ、前記配管部２５ｉ、前記配管部２５ｆ、前記配管部２５ｄ、前記連通管路１０４、前記配管部２６ａは、前記圧縮機１４の吐出側の前記室内熱交換器２７の入口側とを接続し、前記配管部１８ｄは、前記圧縮機１４の吸込側と蒸発器としての前記室外熱交換器１７の出口側とを接続し、前記第２管路を構成する、前記配管部１８ｅ、前記配管部２５ｅ、前記配管部２５ｇ、前記連通管路１０３、及び前記配管部２６ｂは、蒸発器としての前記室外熱交換器１７の入口側と凝縮器としての前記室内熱交換器２７の出口側とを接続する。これにより、圧縮機１４から吐出された高温高圧の冷媒ガスが前記室内熱交換器２７で室内空気へ放熱し凝縮して液体冷媒となり、その後前記室外熱交換器１７で蒸発することで外気から吸熱して圧縮機１４へと戻る、前記暖房運転を実現することができる。
【０１４９】
一方、前記第３管路を構成する前記配管部１８ｂ、前記配管部２５ｍ、前記配管部２５ｉ、前記配管部２５ｆ、前記配管部２５ｄ、前記連通管路１０４、前記配管部２６ａはまた、前記分岐点Ｅから分岐して設けられる前記配管部２５ａ及び前記配管部２５ｂを介し、凝縮器として機能する水冷媒熱交換器１５の入口側にも接続されている。前記したように、この水冷媒熱交換器１５の出口側は、前記配管部２５ｃを介し前記分岐点Ｄに接続されており、前記配管部２５ｅ、前記配管部１８ｅを介して蒸発器としての前記室外熱交換器１７の入口側に接続されることとなる。
【０１５０】
このような接続態様により、圧縮機１４から吐出された高温高圧の冷媒ガスのうち、前記の室内熱交換器２７→前記室外熱交換器１７の経路で流れて前記暖房を行うもの以外の残りを、前記配管部２５ａ及び前記配管部２５ｂへと分流させてそれらを介して前記水冷媒熱交換器１５へ導入し、当該水冷媒熱交換器１５において貯湯タンク２へ通じる湯水配管へ放熱し凝縮し、その凝縮後の液体冷媒を分岐点Ｄにて合流させ、前記室外熱交換器１７へと導入可能となる。この結果、室内空間の暖房と貯湯タンク２内の湯水の加温とを同時並行して行う、沸上・暖房運転を実現することもできる。
【０１５１】
以上の結果、本実施形態のヒートポンプ給湯機１によれば、暖房運転及び沸上・暖房運転のいずれについても四方弁３１を同じ切替位置（前記暖房位置）に切り替えた状態のまま行うことができる。
この結果、冷房運転及び沸上・冷房運転を互いに同一の四方弁３１の切替位置（前記冷房位置）で行うことができ、かつ、暖房運転及び沸上・暖房運転を互いに同一の四方弁３１の切替位置（前記暖房位置）で行うことができる。言い換えれば、四方弁３１の切替位置を、少なくとも冷房を行う運転時（冷房運転時、沸上・冷房運転時）、及び、少なくとも暖房を行う運転時（暖房運転時、沸上・暖房運転時）、それぞれで統一することができる。
【０１５２】
また、本実施形態では特に、前記第４管路を構成する前記配管部２５ｊ及び前記配管部２５ｌのうち前記配管部２５ｌに前記二方弁１２３が設けられ、第６管路を構成する配管部１８ｆに前記二方弁１２６が設けられている。これにより、例えば四方弁３１を前記冷房位置とした状態において、それら二方弁１２３，１２６を閉じ状態とすることで前記冷房運転（図１２参照）を実行するとともに、二方弁１２３，１２６を開き状態とすることで前記沸上・冷房運転（図１３参照）を実行することができる。また例えば二方弁１２３，１２６を閉じ状態として前記四方弁３１を前記暖房位置とすることで、前記暖房運転（図８参照）又は前記沸上・暖房運転（図９）を実行することができる。
【０１５３】
また、本実施形態では特に、前記配管部１８ｄにおける前記分岐点Ａと前記分岐点Ｂとの間に、当該区間を開閉する二方弁１２５が設けられている。これにより、二方弁１２５を閉じ状態として分岐点Ａと分岐点Ｃとの間の区間を閉止することで、図１３に示す前記沸上・冷房運転時における、圧縮機１４吐出側→前記配管部１８ｄ→分岐点Ａ→前記配管部２５ｊ→前記配管部２５ｌ→・・の冷媒流れと、・・→前記室外熱交換器１７→前記配管部１８ｄ→分岐点Ｂ→配管部１８ｆ→・・の冷媒流れと、を確実に分離することができる。
【０１５４】
また、本実施形態では特に、前記二方弁１２２によって、分岐点Ｅよりも前記室内熱交換器２７側の前記配管部２５ｉ、前記配管部２５ｆ、前記配管部２５ｄ、前記連通管路１０４、前記配管部２６ａを閉止可能に構成され、また、前記膨張弁１１２によって、分岐点Ｄよりも前記室内熱交換器２７側の前記配管部２５ｇ、前記連通管路１０３、前記配管部２６ｂを閉止可能に構成されている。すなわち、これら二方弁１２２及び膨張弁１１２を閉じ状態とすることで、二方弁１２２〜前記配管部２５ｆ〜前記配管部２５ｄ〜前記連通管路１０４〜前記配管部２６ａ〜前記室内熱交換器２７〜前記配管部２６ｂ〜前記連通管路１０３〜膨張弁１１２の間を閉止区間とし、この区間内の冷媒を封じ込めて、冷媒流動をなくすことができる。
【０１５５】
これにより、前記四方弁３１を前記冷房位置とすれば、前記図１１に示すように、圧縮機１４吐出側→前記配管部２５ｊ→前記配管部２５ｌ→水冷媒熱交換器１５→配管部２５ｃ→前記配管部２５ｅ→前記配管部１８ｅ→前記室外熱交換器１７→配管部１８ｆ→圧縮機１４吸込側の経路にて、貯湯タンク２内の湯水の加温を行う前記夏期沸上運転を実現することができる。すなわちこの場合、前記冷房運転（図１２参照）及び前記沸上・冷房運転（図１３参照）と共通の四方弁３１の切替位置（前記冷房位置）で、沸上運転を実現することができる。この結果、前記冷房運転、前記沸上・冷房運転、前記夏期沸上運転、相互間の運転切替を、四方弁３１の切替を行うことなく実行することができる。
【０１５６】
あるいは、前記四方弁３１を前記暖房位置とすれば、前記図６に示すように、圧縮機１４吐出側→前記配管部１８ｂ→前記配管部２５ｍ→前記配管部２５ａ→前記配管部２５ｂ→水冷媒熱交換器１５→前記配管部２５ｃ→前記配管部２５ｅ→前記配管部１８ｅ→前記室外熱交換器１７→前記配管部１８ｄ→圧縮機１４吸込側の経路にて、貯湯タンク２内の湯水の加温を行う冬期沸上運転を実現することができる。すなわちこの場合、前記暖房運転（図８参照）及び前記沸上・暖房運転（図９参照）と共通の四方弁３１の切替位置（前記暖房位置）で、沸上運転を実現することができる。この結果、前記暖房運転、前記沸上・暖房運転、前記冬期沸上運転、相互間の運転切替を、四方弁３１の切替を行うことなく実行することができる。
【０１５７】
なお、本発明は以上の態様に限定されることなく、その趣旨を変更しない範囲で適用可能なものである。以下、そのような変形例を説明する。
【０１５８】
（１）冬期沸上運転・夏期沸上運転を自動切り替えする場合
前記したように、ヒートポンプ給湯機１においては、沸上運転の態様として、図６を用いて説明した前記冬期沸上運転と、図１１を用いて説明した前記夏期沸上運転と、のいずれかを選択的に実行可能である。これに対応して、前記リモコン６０等を介して沸上運転の指示がなされた際、所定の運転切替因子（後述）に応じて、自動的に前記冬期沸上運転及び前記夏期沸上運転のいずれか一方が選択されるようにしてもよい。そのような変形例を図１６を用いて説明する。
【０１５９】
図１６は、本変形例において前記ヒーポン制御部４１０、前記貯湯制御部４２０、及び前記エアコン制御部４３０が互いに協働して行う（あるいはこれらのうち少なくとも１つが他と連携して行っても良い）制御手順を表すフローチャートである。この例では、前記運転切替因子として、前記外気温度センサ２２により検出される外気温度Ｔａｉｒを用いた場合を説明する。
【０１６０】
図１６において、まずステップＳ１０で、前記ヒーポン制御部４１０、前記貯湯制御部４２０、及び前記エアコン制御部４３０（以下適宜、単に「制御部４１０等」と称する）は、前記リモコン６０から前記沸上運転の指示がなされたか否かを判定する。沸上運転の指示がなければ判定が満たされず（Ｓ１０：ＮＯ）、このフローを終了する。沸上運転の指示があったら判定が満たされ（Ｓ１０：ＹＥＳ）、ステップＳ２０に移る。
【０１６１】
ステップＳ２０では、前記制御部４１０等は、前記外気温度センサ２２により検出された前記外気温度Ｔａｉｒが、予め定められた所定温度（例えば１０℃〜２０℃の範囲にある適宜の温度、例えば１５℃等）以下であるか否かを判定する。前記所定温度を超えていれば判定が満たされず（Ｓ２０：ＮＯ）後述のステップＳ５０に移り、前記所定温度以下であれば判定が満たされ（Ｓ２０：ＹＥＳ）、ステップＳ３０に移る。
【０１６２】
ステップＳ３０では、前記制御部４１０等は、前記四方弁制御部４１０Ａにより、前記四方弁３１を前記暖房位置に切り替える。その後、ステップＳ４０に移る。
【０１６３】
ステップＳ４０では、前記制御部４１０等は、前記二方弁制御部４１０Ｅ，４２０Ｃにより、二方弁１２１，１２５を全開状態かつ二方弁１２３，１２２，１２６，１２４を全閉状態に切り替え、前記膨張弁制御部４１０Ｃにより、前記膨張弁１１２，１１４を全閉状態かつ前記膨張弁１１１を全開状態とし前記膨張弁１１３に△Ｈ制御を行うことで、前記図６を用いて前述した前記冬期沸上運転を実行する。その後、このフローを終了する。
【０１６４】
一方、前記ステップＳ２０の判定が満たされずに移行したステップＳ５０では、前記制御部４１０等は、前記四方弁制御部４１０Ａにより、前記四方弁３１を前記冷房位置に切り替える。その後、ステップＳ６０に移る。
【０１６５】
ステップＳ６０では、前記制御部４１０等は、前記二方弁制御部４１０Ｅ，４２０Ｃにより、二方弁１２３，１２６を全開状態かつ二方弁１２１，１２２，１２５，１２４を全閉状態に切り替え、前記膨張弁制御部４１０Ｃにより、前記膨張弁１１２，１１４を全閉状態かつ前記膨張弁１１１を全開状態とし前記膨張弁１１３に△Ｈ制御を行うことで、前記図１１を用いて前述した前記夏期沸上運転を実行する。その後、このフローを終了する。
【０１６６】
なお、前記二方弁制御部４１０Ｅ，４２０Ｃ及び前記膨張弁制御部４１０Ｃによる各弁の制御機能のうち、前記二方弁１２３及び前記膨張弁１１２を開閉制御する機能が、開閉制御手段に相当している。
【０１６７】
本変形例においては、前記のように、リモコン６０を介し前記沸上運転の指示がなされた場合には、冷房運転等に対応した前記冷房位置とすべきか暖房運転等に対応した前記暖房位置とすべきかの指標となる、所定の運転切替因子（前記の例では外気温度Ｔａｉｒ）に応じて、四方弁３１の切替制御が行われる。
【０１６８】
すなわち、前記沸上運転が行われる際に、例えば前記外気温度Ｔａｉｒが比較的低かった場合は、四方弁３１は、前記暖房運転等に対応して切り替えるべきとみなされ、前記暖房位置へと切り替えられる。これにより、四方弁３１を暖房位置に切り替えた状態での前記冬期沸上運転が実行されるので、その後、さらに前記暖房運転もしくは前記沸上・暖房運転へと移行する指示がなされた場合であっても、四方弁３１を同じ暖房位置とした状態のままで円滑に運転の移行を行うことができる。この結果、四方弁３１の切替位置の変更が生じる場合のような、運転中断による室温低下（暖房感の低下）を確実に防止することができる。
【０１６９】
逆に、前記沸上運転が行われる際、例えば前記外気温度Ｔａｉｒが比較的高かった場合においては、四方弁３１は、前記冷房運転等に対応して切り替えるべきとみなされ、前記冷房位置へと切り替えられる。これにより、四方弁３１を冷房位置に切り替えた状態での前記夏期沸上運転が実行されるので、その後、さらに前記冷房運転もしくは前記沸上・冷房運転へと移行する指示がなされた場合であっても、四方弁３１を同じ冷房位置とした状態のままで円滑に運転の移行を行うことができる。
【０１７０】
これらの結果、本変形例によれば、四方弁３１の切替位置の変更が生じる場合のような、運転中断による室温上昇（冷房感の低下）を確実に防止することができる。
【０１７１】
なお、前記においては、運転切替因子の例として、前記外気温度センサ２２により検出された前記外気温度Ｔａｉｒを用いたが、これに限られない。すなわち、前記外気温度Ｔａｉｒの所定期間（例えば過去の複数日）内における平均値や、貯湯タンク２へ前記給水管７へ給水される給水温度又はその前記所定期間内における平均値や、所定期間（例えば過去の複数日）内における前記冷房運転又は前記暖房運転の運転態様の実績（又は運転態様の指示実績）等、を用いても良い。前記給水温度を用いる場合は、例えば前記ステップＳ２０において、当該給水温度が所定値以下の場合はステップＳ３０へ移行し、当該給水温度が所定値を超える場合はステップＳ５０へ移行する。前記運転実績（又は前記運転指示実績）を用いる場合は、例えば前記ステップＳ２０において、主に暖房運転又は沸上・暖房運転の実績が多かった場合はステップＳ３０へ移行し、主に冷房運転又は沸上・冷房運転の実績が多かった場合はステップＳ５０へ移行する。これらの場合も前記と同様の効果を得る。
また、前記の例では、前記リモコン６０等を介した沸上運転の指示がなされた際に、前記冬期沸上運転若しくは前記夏期沸上運転の選択が実行されるようにしたが、選択のタイミングはこれに限られるものではない。すなわち例えば、予め定められたタイミング若しくは所望のタイミングで定期的・周期的に行われる沸上運転（通常毎日深夜に行われる夜間沸上運転等）において、そのタイミングで前記運転切替因子に応じて前記冬期沸上運転及び前記夏期沸上運転のいずれか一方が選択されるようにしてもよい。また、沸上運転の実行に関係なく、予め定められたタイミング若しくは所望のタイミング（特定の期日や特定の時刻等）において、前記運転切替因子に応じて、前記四方弁３１を前記暖房位置又は前記冷房位置へ切り替える（まだ沸上運転は行われないが、沸上運転が行われるよりも前に事前に切り替え済としておく）ようにしてもよい。
【０１７２】
（２）その他
例えば、前記二方弁１２１〜１２５のうち少なくとも１つを、閉止機能付きの膨張弁で置き換えても良い。また、前記膨張弁１１１〜１１４に代え、減圧器としてエジェクターを用いても良い。
【０１７３】
また、図１６に示すフローチャートは本発明を上記フローに示す手順に限定するものではなく、発明の趣旨及び技術的思想を逸脱しない範囲内で手順の追加・削除又は順番の変更等をしてもよい。
【０１７４】
また、以上既に述べた以外にも、上記実施形態や各変形例による手法を適宜組み合わせて利用しても良い。
【０１７５】
その他、一々例示はしないが、本発明は、その趣旨を逸脱しない範囲内において、種々の変更が加えられて実施されるものである。
【符号の説明】
【０１７６】
１                ヒートポンプ給湯機
２                貯湯タンク
４                加熱循環回路（湯水循環回路）
５                加熱往き管（湯水配管）
６                加熱戻り管（湯水配管）
１４              圧縮機
１５              水冷媒熱交換器
１５ａ            冷媒側の流路
１５ｂ            水側の流路
１７              室外熱交換器（ヒートポンプ熱交換器）
１８              冷媒配管
１８ｂ            配管部（第３管路）
１８ｄ            配管部（第１管路）
１８ｅ            配管部（第２管路）
１８ｆ            配管部（第６管路）
２５ａ            配管部（第７管路）
２５ｂ            配管部（第７管路）
２５ｃ            配管部（第５管路）
２５ｄ            配管部（第３管路）
２５ｅ            配管部（第２管路）
２５ｆ            配管部（第３管路）
２５ｇ            配管部（第２管路）
２５ｉ            配管部（第３管路）
２５ｊ            配管部（第４管路）
２５ｌ            配管部（第４管路）
２５ｍ            配管部（第３管路）
２６ａ            配管部（第３管路）
２６ｂ            配管部（第２管路）
２７              室内熱交換器
３０              冷媒循環回路
３１              四方弁
６７              室外ファン
７７              室内ファン
１００            貯湯ユニット
１０３            連通管路（第２管路）
１０４            連通管路（第３管路）
１１１            膨張弁
１１２            膨張弁（第５開閉弁）
１１３            膨張弁
１１４            膨張弁
１２１            二方弁
１２２            二方弁（第４開閉弁）
１２３            二方弁（第１開閉弁）
１２４            二方弁
１２５            二方弁（第３開閉弁）
１２６            二方弁（第２開閉弁）
２００            ヒートポンプユニット（室外機）
３００            エアコンユニット（室内機）
４１０            ヒーポン制御部
４１０Ａ          四方弁制御部（四方弁制御手段）
４１０Ｃ          膨張弁制御部
４１０Ｅ          二方弁制御部
４２０            貯湯制御部
４２０Ｃ          二方弁制御部
４３０            エアコン制御部
Ａ                分岐点（第１分岐点）
Ｂ                分岐点（第３分岐点）
Ｃ                分岐点（第４分岐点）
Ｄ                分岐点（第２分岐点）
Ｔａｉｒ          外気温度
【図１】
2020115061.tif 000003
【図２】
2020115061.tif 000004
【図３】
2020115061.tif 000005
【図４】
2020115061.tif 000006
【図５】
2020115061.tif 000007
【図６】
2020115061.tif 000008
【図７】
2020115061.tif 000009
【図８】
2020115061.tif 000010
【図９】
2020115061.tif 000011
【図１０】
2020115061.tif 000012
【図１１】
2020115061.tif 000013
【図１２】
2020115061.tif 000014
【図１３】
2020115061.tif 000015
【図１４】
2020115061.tif 000016
【図１５】
2020115061.tif 000017
【図１６】
2020115061.tif 000018